(57)【要約】  下記組成式（１）2021526180.tif 000016（式中、Ｒ1は炭素数１〜８のアルキル基、炭素数６〜１２のアリール基及び炭素数１〜８のフッ素置換アルキル基から選ばれる、フェニル基以外の基であり、Ｒ2及びＲ3は独立に、炭素数１〜８のアルキル基、炭素数６〜１２のアリール基及び炭素数１〜８のフッ素置換アルキル基から選ばれる基であり、ａは０〜０．２、ｂは０．１〜０．５、ｃは０〜０．２、ｄは０．０１〜０．５、ｅは０〜０．６の数であり、ａ＋ｂ＋ｃ＋ｄ＋ｅは１．０である。ただし、Ｒ1〜Ｒ3、ａ〜ｅは、分子中に１つ以上のフェニル基を有するように選択される。）で表され、重量平均分子量が１,０００〜８,０００であるシリコーン樹脂であって、このシリコーン樹脂から形成された被膜の屈折率が１．４８以上であるシリコーン樹脂。【特許請求の範囲】
【請求項１】
下記組成式（１）
【化１】
2021526180.tif 000015
（式中、Ｒ1は炭素数１〜８のアルキル基、炭素数６〜１２のアリール基及び炭素数１〜８のフッ素置換アルキル基から選ばれる、フェニル基以外の基であり、Ｒ2及びＲ3は独立に、炭素数１〜８のアルキル基、炭素数６〜１２のアリール基及び炭素数１〜８のフッ素置換アルキル基から選ばれる基であり、ａは０〜０．２、ｂは０．１〜０．５、ｃは０〜０．２、ｄは０．０１〜０．５、ｅは０〜０．６の数であり、ａ＋ｂ＋ｃ＋ｄ＋ｅは１．０である。ただし、Ｒ1〜Ｒ3、ａ〜ｅは、分子中に１つ以上のフェニル基を有するように選択される。）
で表され、重量平均分子量が１,０００〜８,０００であるシリコーン樹脂であって、このシリコーン樹脂から形成された被膜の屈折率が１．４８以上であるシリコーン樹脂。
【請求項２】
フェニル基含有率が３０質量％以上である請求項１記載のシリコーン樹脂。
【請求項３】
上記組成式（１）において、ａが０．０１〜０．２である請求項１記載のシリコーン樹脂。
【請求項４】
上記組成式（１）において、Ｒ3がフェニル基である請求項１記載のシリコーン樹脂。
【請求項５】
上記組成式（１）において、ｃが０であり、Ｒ1がメチルであり、Ｒ3がフェニル基である請求項１記載のシリコーン樹脂。
【請求項６】
シリコーン樹脂濃度５０質量％で、デカメチルシクロペンタシロキサン、イソドデカン及びパラメトキシケイ皮酸オクチルから選ばれるいずれかに可溶である請求項１記載のシリコーン樹脂。
【請求項７】
（ｉ）下記一般式（２）及び（３）
Ｒ13ＳｉＯＳｉＲ13    （２）
Ｒ13ＳｉＯＨ          （３）
（式中、Ｒ1は上記と同じである。）
で表される有機ケイ素化合物から選ばれる１種又は２種以上と、
下記一般式（４）、（５）、（６）
（Ｒ4Ｏ）2ＳｉＲ22    （４）
（Ｒ4Ｏ）3ＳｉＲ3    （５）
（Ｒ4Ｏ）4Ｓｉ        （６）
（式中、Ｒ2及びＲ3は上記と同じである。Ｒ4は独立に、水素原子又は非置換又は置換一価炭化水素基である。）
で表されるシラン及びその部分加水分解縮合物から選ばれる１種又は２種以上とを、無溶媒又は溶媒中において、加水分解・縮合させる工程、及び
（ｉｉ）得られた加水分解・縮合物にトリフェニルシラノール及び溶媒を添加し、弱塩基触媒存在下で、上記加水分解・縮合物とトリフェニルシラノールとを縮合させる工程
を含む、請求項３記載のシリコーン樹脂を製造する方法。
【請求項８】
弱塩基触媒が、炭酸水素ナトリウム又は酢酸ナトリウムである請求項７記載のシリコーン樹脂の製造方法。
【請求項９】
請求項１記載のシリコーン樹脂を、０．１〜４０質量％を含有する化粧料。
【請求項１０】
さらに、シリコーン油、炭化水素油、エステル油及びグリセライド油から選ばれる油剤を含有する請求項９記載の化粧料。
【請求項１１】
さらに、界面活性剤を含有する請求項９記載の化粧料。
【請求項１２】
界面活性剤が、ポリオキシアルキレン基及びポリグリセリン基から選ばれる基を有する直鎖又は分岐鎖状オルガノポリシロキサン及びそのアルキル共変性オルガノポリシロキサンから選ばれる１種又は２種以上の界面活性剤である請求項１１記載の化粧料。
【請求項１３】
さらに、架橋型オルガノポリシロキサン重合物及び液状油剤とからなる組成物を含有する請求項９記載の化粧料。
【請求項１４】
架橋型オルガノポリシロキサン重合物が、ポリエーテル基及びポリグリセリン基から選ばれる基を有する架橋型オルガノポリシロキサン重合物である請求項１３記載の化粧料。
【請求項１５】
さらに、［Ｒ53ＳｉＯ1/2］、［Ｒ62ＳｉＯ2/2］、［Ｒ7ＳｉＯ3/2］及び［ＳｉＯ4/2］
（式中、Ｒ5、Ｒ6及びＲ7は独立に、炭素数１〜８のアルキル基、炭素数６〜１２のアリール基及び炭素数１〜８のフッ素置換アルキル基から選ばれる基である。）
から選ばれる構成単位を有する、上記シリコーン樹脂以外のシリコーン樹脂、及び直鎖状のアクリル／シリコーン共重合体から選ばれる被膜形成剤を含有する請求項９記載の化粧料。
【請求項１６】
さらに、粉体を含有する請求項９記載の化粧料。
【請求項１７】
さらに、紫外線吸収剤又は紫外線吸散乱剤を含有する請求項９記載の化粧料。
【請求項１８】
スキンケア化粧料、頭髪化粧料、メークアップ化粧料、紫外線防御用化粧料及び制汗剤から選ばれる化粧料である請求項９記載の化粧料。
【発明の詳細な説明】
【技術分野】
【０００１】
本発明は、フェニル基を有するシリコーン樹脂（以下、フェニルシリコーン樹脂と記載する場合がある。）及びその製造方法、ならびにこのシリコーン樹脂を含有する化粧料に関するものである。なお、本発明においては、化粧料用の組成物を化粧料と記載する。
【背景技術】
【０００２】
従来、シリコーン樹脂は、被膜形成能があり、耐水性、耐汗性、耐皮脂性に優れることから、ファンデーション、口紅、アイシャドー、マスカラ等のメークアップ化粧料、紫外線防御用化粧料、頭髪用化粧料等の化粧品用原料として使用されている。例えば、平均式ＲnＳｉＯ4-n/2の単位からなる有機シリコーン樹脂と、揮発性炭化水素油とを含む皮膚化粧料（特許文献１：特公平０４−５９２８４号公報）、Ｒ3ＳｉＯ1/2単位とＳｉＯ4/2単位からなる樹脂と、揮発性シリコーン油とを含有する皮膚化粧料（特許文献２：特公平０６−１５４４８号公報）、Ｒ2ＳｉＯ2/2単位、ＲＳｉＯ3/2単位、ＳｉＯ4/2単位を２種類以上含み、任意で末端をＲ3ＳｉＯ1/2単位で封鎖したシリコーン樹脂、揮発性油剤と紫外線吸収剤及び／又は紫外線散乱剤を配合した日焼け防止化粧料（特許文献３：特開昭６２−２３４０１２号公報）、７０モル％以上がＲ3ＳｉＯ1/2単位及びＳｉＯ4/2単位からなり、かつＲ3ＳｉＯ1/2単位とＳｉＯ4/2単位とのモル比が０．５／１〜１．５／１である有機シリコーン樹脂１〜７０質量％を含有する皮膚化粧料（特許文献４：特開昭６２−２９８５１１号公報）等が知られており、これらは耐水性に優れる被膜が得られることを開示している。
【０００３】
近年では、さらなる耐水性、耐汗性、化粧持続性の向上や、ツヤや発色等の特性が求められるようになり、フェニル基含有率の高いフェニルシリコーン樹脂が開発されている。しかしながら、フェニル含有率の高いフェニルシリコーン樹脂は、シリコーン系や有機系の油性成分との相溶性が低いため、紫外線吸収剤や、ＩＯＢ０．２以上の高極性の液状油等特定の油剤を併用した処方が提案されている（特許文献５：特開２０１６−１１７７０１号公報、特許文献６：特開２００９−１９０３３号公報、特許文献７：特許第５５１２２７８号公報）。そのため、フェニル含有率の高いフェニルシリコーン樹脂を配合した化粧品処方が限定的となってしまう。Ｒ13ＳｉＯ1/2単位、Ｒ22ＳｉＯ2/2単位、Ｒ3ＳｉＯ3/2単位、ＳｉＯ4/2単位からなるシリコーン樹脂を使った化粧料が開発されているが、被膜の屈折率については言及されていない特許文献８：特開２０１８−２６４３号公報）。
【先行技術文献】
【特許文献】
【０００４】
【特許文献１】特公平０４−５９２８４号公報
【特許文献２】特公平０６−１５４４８号公報
【特許文献３】特開昭６２−２３４０１２号公報
【特許文献４】特開昭６２−２９８５１１号公報
【特許文献５】特開２０１６−１１７７０１号公報
【特許文献６】特開２００９−１９０３３号公報
【特許文献７】特許第５５１２２７８号公報
【特許文献８】特開２０１８−２６４３号公報
【発明の概要】
【発明が解決しようとする課題】
【０００５】
本発明は、シリコーン油、炭化水素油等の有機系の油性成分に可溶で、均一な連続被膜が得られ、その被膜はべたつき及び脆さがなく、紫外線吸収剤との相溶性が良いフェニルシリコーン樹脂及びその製造方法を提供することを目的とする。また、このフェニルシリコーン樹脂を化粧料に配合することで、使用感（塗布時の延び（展延性）、べたつき感のなさ、仕上がりの色むらのなさ、化粧もち）が良く、衣服等へ付着すること（２次付着）を防止できる化粧料を提供することを目的とする。
【課題を解決するための手段】
【０００６】
本発明者らは、特定の構成単位を有するフェニルシリコーン樹脂が、シリコーン系、有機系等の油性成分に可溶で、均一な連続被膜が得られ、その被膜はべたつき及び脆さがなく、紫外線吸収剤との相溶性が良いことを知見した。さらに、このフェニルシリコーン樹脂を配合した化粧料は、使用感が良く、衣服等へ付着すること（２次付着）を防止できることを知見し、本発明をなすに至ったものである。
【０００７】
従って、本発明は下記発明を提供する。
１．下記組成式（１）
【化１】
2021526180.tif 000002
（式中、Ｒ1は炭素数１〜８のアルキル基、炭素数６〜１２のアリール基及び炭素数１〜８のフッ素置換アルキル基から選ばれる、フェニル基以外の基であり、Ｒ2及びＲ3は独立に、炭素数１〜８のアルキル基、炭素数６〜１２のアリール基及び炭素数１〜８のフッ素置換アルキル基から選ばれる基であり、ａは０〜０．２、ｂは０．１〜０．５、ｃは０〜０．２、ｄは０．０１〜０．５、ｅは０〜０．６の数であり、ａ＋ｂ＋ｃ＋ｄ＋ｅは１．０である。ただし、Ｒ1〜Ｒ3、ａ〜ｅは、分子中に１つ以上のフェニル基を有するように選択される。）
で表され、重量平均分子量が１,０００〜８,０００であるシリコーン樹脂であって、このシリコーン樹脂から形成された被膜の屈折率が１．４８以上であるシリコーン樹脂。
２．フェニル基含有率が３０質量％以上である１記載のシリコーン樹脂。
３．上記組成式（１）において、ａが０．０１〜０．２である１又は２記載のシリコーン樹脂。
４．上記組成式（１）において、Ｒ3がフェニル基である１〜３のいずれかに記載のシリコーン樹脂。
５．上記組成式（１）において、ｃが０であり、Ｒ1がメチルであり、Ｒ3がフェニル基である１〜４のいずれかに記載のシリコーン樹脂。
６．シリコーン樹脂濃度５０質量％で、デカメチルシクロペンタシロキサン、イソドデカン及びパラメトキシケイ皮酸オクチルから選ばれるいずれかに可溶である１〜５のいずれかに記載のシリコーン樹脂。
７．（ｉ）下記一般式（２）及び（３）
Ｒ13ＳｉＯＳｉＲ13    （２）
Ｒ13ＳｉＯＨ          （３）
（式中、Ｒ1は上記と同じである。）
で表される有機ケイ素化合物から選ばれる１種又は２種以上と、
下記一般式（４）、（５）、（６）
（Ｒ4Ｏ）2ＳｉＲ22    （４）
（Ｒ4Ｏ）3ＳｉＲ3    （５）
（Ｒ4Ｏ）4Ｓｉ        （６）
（式中、Ｒ2及びＲ3は上記と同じである。Ｒ4は独立に、水素原子又は非置換又は置換一価炭化水素基である。）
で表されるシラン及びその部分加水分解縮合物から選ばれる１種又は２種以上とを、無溶媒又は溶媒中において、加水分解・縮合させる工程、及び
（ｉｉ）得られた加水分解・縮合物にトリフェニルシラノール及び溶媒を添加し、弱塩基触媒存在下で、上記加水分解・縮合物とトリフェニルシラノールとを縮合させる工程
を含む、３記載のシリコーン樹脂を製造する方法。
８．弱塩基触媒が、炭酸水素ナトリウム又は酢酸ナトリウムである７記載のシリコーン樹脂の製造方法。
９．１〜６のいずれかに記載のシリコーン樹脂を、０．１〜４０質量％を含有する化粧料。
１０．さらに、シリコーン油、炭化水素油、エステル油及びグリセライド油から選ばれる油剤を含有する９記載の化粧料。
１１．さらに、界面活性剤を含有する９又は１０記載の化粧料。
１２．界面活性剤が、ポリオキシアルキレン基及びポリグリセリン基から選ばれる基を有する直鎖又は分岐鎖状オルガノポリシロキサン及びそのアルキル共変性オルガノポリシロキサンから選ばれる１種又は２種以上の界面活性剤である１１記載の化粧料。
１３．さらに、架橋型オルガノポリシロキサン重合物及び液状油剤とからなる組成物を含有する９〜１２のいずれかに記載の化粧料。
１４．架橋型オルガノポリシロキサン重合物が、ポリエーテル基及びポリグリセリン基から選ばれる基を有する架橋型オルガノポリシロキサン重合物である１３記載の化粧料。
１５．さらに、［Ｒ53ＳｉＯ1/2］、［Ｒ62ＳｉＯ2/2］、［Ｒ7ＳｉＯ3/2］及び［ＳｉＯ4/2］
（式中、Ｒ5、Ｒ6及びＲ7は独立に、炭素数１〜８のアルキル基、炭素数６〜１２のアリール基及び炭素数１〜８のフッ素置換アルキル基から選ばれる基である。）
から選ばれる構成単位を有する、上記シリコーン樹脂以外のシリコーン樹脂、及び直鎖状のアクリル／シリコーン共重合体から選ばれる被膜形成剤を含有する９〜１４のいずれかに記載の化粧料。
１６．さらに、粉体を含有する９〜１５のいずれかに記載の化粧料。
１７．さらに、紫外線吸収剤又は紫外線吸散乱剤を含有する９〜１６のいずれかに記載の化粧料。
１８．スキンケア化粧料、頭髪化粧料、メークアップ化粧料、紫外線防御用化粧料及び制汗剤から選ばれる化粧料である９〜１７のいずれかに記載の化粧料。
【発明の効果】
【０００８】
本発明によれば、シリコーン系、有機系等の油性成分に可溶で、均一な連続被膜が得られ、その被膜はべたつき及び脆さがなく、紫外線吸収剤との相溶性が良いフェニルシリコーン樹脂、及びこれを配合した、使用感が良く、２次付着を防止できる化粧料を提供することができる。
【発明を実施するための形態】
【０００９】
以下、本発明について、Ｉ.フェニルシリコーン樹脂、ＩＩ．フェニルシリコーン樹脂の製造方法、ＩＩＩ．フェニルシリコーン樹脂を含有する化粧料に分けて説明する。
【００１０】
Ｉ．フェニルシリコーン樹脂
本発明のフェニルシリコーン樹脂は、下記組成式（１）
【化２】
2021526180.tif 000003
（式中、Ｒ1は独立に炭素数１〜８のアルキル基、炭素数６〜１２のアリール基及び炭素数１〜８のフッ素置換アルキル基から選ばれる、フェニル基以外の基であり、Ｒ2及びＲ3は独立に、炭素数１〜８のアルキル基、炭素数６〜１２のアリール基及び炭素数１〜８のフッ素置換アルキル基から選ばれる基であり、ａは０〜０．２、ｂは０．１〜０．５、
ｃは０〜０．２、ｄは０．０１〜０．５、ｅは０〜０．６の数であり、ａ＋ｂ＋ｃ＋ｄ＋ｅは１．０である。ただし、Ｒ1〜Ｒ3、ａ〜ｅは、分子中に１つ以上のフェニル基を有するように選択される。）
で表される。
【００１１】
炭素数１〜８のアルキル基としては、メチル基、エチル基、プロピル基、ブチル基、ペンチル基、ヘキシル基、ヘプチル基、オクチル基が挙げられる。炭素数６〜１２のアリール基としては、フェニル基及びトリル基等が挙げられる。炭素数１〜８のフッ素置換アルキル基としては、トリフロロプロピル基等が挙げられる。Ｒ1、Ｒ2及びＲ3は、１分子中にそれぞれ違うものが含まれていてもよい。
【００１２】
具体的には、Ｒ1としては、炭素数１〜３のアルキル基がより好ましく、メチル基がさらに好ましい。
Ｒ2としては、炭素数１〜３のアルキル基がより好ましく、メチル基がさらに好ましい。
Ｒ3としては、炭素数１〜３のアルキル基、フェニル基がより好ましく、メチル基、フェニル基がさらに好ましい。
【００１３】
ａは０〜０．２の数であり、０．０１〜０．２が好ましく、０．０３〜０．１がより好ましい。ａが０．２を超えるとトリフェニルシラノールが反応しにくくなってしまい、製造時にトリフェニルシラノールが残存して、不純物を含む樹脂となるおそれがある。
ｂは０．１〜０．５の数であり、０．２〜０．４５が好ましく、０．２〜０．４がより好ましい。ｂが０．１未満だと被膜が硬くなり脆くなってしまい、０．５を超えると被膜がべたついてしまう。
ｃは０〜０．２の数であり、０〜０．１５が好ましい。ｃが０．２を超えると被膜が硬くなり脆くなってしまう。
ｄは０．０１〜０．５の数であり、０．０５〜０．４５が好ましく、０．１〜０．４がより好ましい。ｄが０．０１未満だと被膜がべたついてしまう。また、製造時にトリフェニルシラノールを用いた場合、トリフェニルシラノールが残存して、不純物を含む樹脂となるおそれがある。ｄが０．５を超えると被膜が硬くなり脆くなってしまう。
ｅは０〜０．６の数である。ｅが０．６よりも大きいと被膜が硬くなり、脆くなってしまう。
【００１４】
特に、上記組成式（１）において、ｃが０であり、Ｒ1がメチルであり、Ｒ3がフェニル基である、下記組成式（２）で表されるものが好ましく、中でも、ａが０．０１〜０．２のものが好ましい。
【化３】
2021526180.tif 000004
（式中、ａは０〜０．２、ｂは０．１〜０．５、ｄは０．０１〜０．５、ｅは０〜０．６の数であり、ａ＋ｂ＋ｄ＋ｅは１．０である。）
【００１５】
フェニルシリコーン樹脂の重量平均分子量は、１，０００〜８,０００であり、２，０００〜７，０００が好ましく、２，０００〜６，０００がより好ましい。分子量が小さすぎると、高粘度液体となり、被膜を得ることができない。一方、分子量が大きすぎると溶媒への溶解性が悪くなる。なお、重量平均分子量の測定方法は、ＧＰＣ（ゲルパーミュエーションクロマトグラフィー）、分析によるポリスチレン換算の重量平均分子量であり、測定に用いる溶媒はテトラヒドロフラン（ＴＨＦ）を用いるものとする。装置としては、例えば、東ソー社製等を用いることができる。
【００１６】
フェニルシリコーン樹脂から形成された被膜の屈折率は１．４８以上であり、１．４９０〜１．５２０が好ましい。なお、屈折率は、フェニルシリコーン樹脂溶媒溶液を塗工し、溶媒等を除去して厚さ約１ｍｍのフェニル樹脂被膜を形成させ、屈折率計、例えば、Ａｂｂｅｍａｔ屈折率計（Ａｎｔｏｎ  Ｐａａｒ社製）により、測定温度２５℃の屈折率を測定した値である。
【００１７】
シリコーン樹脂のフェニル基含有率等を調整することにより、被膜の屈折率を得ることができ、本発明のシリコーン樹脂のフェニル基含有率は、フェニルシリコーン樹脂中３０質量％以上が好ましく、３１〜４０質量％がより好ましい。
【００１８】
このようなフェニル基含有率、屈折率を有するシリコーン樹脂を化粧料に配合した場合、塗付時に、延びが良く、べたつき感がなく、耐水性が良好で、皮膚への密着性が良いことから化粧もちに優れ、衣服等へ付着すること（２次付着性）を防止できる化粧料となる。
【００１９】
フェニルシリコーン樹脂は室温で固体であるため、粉砕した固体としてもよく、あるいは化粧料に使用できる油剤で希釈した溶液とすることもできる。油剤としては、シリコーン油、炭化水素油等の有機系の油性成分、特に、デカメチルシクロペンタシロキサン、イソドデカン、パラメトキシケイ皮酸オクチルが挙げられる。フェニルシリコーン樹脂は、フェニルシリコーン樹脂濃度５０質量％で、デカメチルシクロペンタシロキサン、イソドデカン及びパラメトキシケイ皮酸オクチルから選ばれるいずれかの油剤に可溶であることが好ましい。なお、フェニルシリコーン樹脂の可溶化は、フェニルシリコーン樹脂の重量平均分子量と屈折率のバランスにより調整することができる。
【００２０】
ＩＩ．フェニルシリコーン樹脂の製造方法
本発明のフェニルシリコーン樹脂の製造方法としては、下記工程を含むものが挙げられる。
（Ａ）ａが０の場合
（Ａ−ｉ）下記一般式（２）及び（３）
Ｒ13ＳｉＯＳｉＲ13    （２）
Ｒ13ＳｉＯＨ          （３）
（式中、Ｒ1は上記と同じである。）
で表される有機ケイ素化合物から選ばれる１種以上と、
下記一般式（４）、（５）及び（６）
（Ｒ4Ｏ）2ＳｉＲ22    （４）
（Ｒ4Ｏ）3ＳｉＲ3    （５）
（Ｒ4Ｏ）4Ｓｉ        （６）
（式中、Ｒ2及びＲ3は上記と同じである。Ｒ4は独立に水素原子又は非置換又は置換一価炭化水素基である。ただし、Ｒ2〜Ｒ3の中で１つ以上はフェニル基である。）
で表されるシラン及びその部分加水分解縮合物から選ばれ、一般式（５）で表されるものを含む１種以上とを無溶媒又は溶媒中において、加水分解・縮合させる工程、及び
（Ａ−ｉｉ）得られた加水分解・縮合物に溶媒を添加し、弱塩基触媒存在下で、上記加水分解・縮合物を縮合させる工程
【００２１】
（Ｂ）ａが０でない場合、
（Ｂ−ｉ）下記一般式（２）及び（３）
Ｒ13ＳｉＯＳｉＲ13    （２）
Ｒ13ＳｉＯＨ          （３）
（式中、Ｒ1は上記と同じである。）
で表される有機ケイ素化合物から選ばれる１種以上と、
下記一般式（４）、（５）及び（６）
（Ｒ4Ｏ）2ＳｉＲ22    （４）
（Ｒ4Ｏ）3ＳｉＲ3    （５）
（Ｒ4Ｏ）4Ｓｉ        （６）
（式中、Ｒ2及びＲ3は上記と同じである。Ｒ4は独立に水素原子又は非置換又は置換一価炭化水素基である。）
で表されるシラン及びその部分加水分解縮合物から選ばれ、一般式（５）で表されるものを含む１種以上とを無溶媒又は溶媒中において、加水分解・縮合させる工程、及び
（Ｂ−ｉｉ）得られた加水分解・縮合物にトリフェニルシラノール及び溶媒を添加し、弱塩基触媒存在下で、上記加水分解・縮合物とトリフェニルシラノールとを縮合させる工程
【００２２】
Ｒ1、Ｒ2及びＲ3は上記と同じである。Ｒ4は独立に水素原子又は非置換又は置換一価炭化水素基であり、炭素数１〜４のアルキル基が好ましい。ただし、上記（Ａ）の場合は、Ｒ2〜Ｒ3の中で１つ以上はフェニル基である。なお、一般式（２）〜（６）で表される化合物はそれぞれ１種単独で又は２種以上を適宜組み合わせて用いることができる。Ｒ1、Ｒ2、Ｒ3及びＲ4は、１分子中にそれぞれ違うものが含まれていてもよい。
【００２３】
工程（ｉ）：（Ａ−ｉ），工程（Ｂ−ｉ）
上記有機ケイ素化合物と、上記シラン又はその部分加水分解縮合物とを無溶媒又は溶媒中において、加水分解・縮合させる工程
【００２４】
加水分解・縮合反応は酸性条件下で行うことが好ましく、触媒として酸性物質を添加することが好ましい。酸性物質としては、塩酸、硫酸、ｐ−トルエンスルフォン酸、メタンスルフォン酸、トリフルオロメタンスルフォン酸、リン酸、酢酸、クエン酸等が挙げられる。これらは１種単独で又は２種以上を適宜組み合わせて用いることができる。その使用量は少量でよく、加水分解・縮合反応系全体の０．００１〜１０質量％が好ましい。
【００２５】
反応は無溶媒又は溶媒中で行うことができ、溶媒中で行うことが好ましい。工程（ｉ）の溶媒としては、トルエン、キシレン、イソパラフィン等の炭化水素系溶媒、テトラヒドロフラン等のエーテル系溶媒、メタノール、エタノール、（イソ）プロピルアルコール、ブタノール等の炭素数１〜１０の脂肪族アルコール系溶媒が挙げられる。これらは１種単独で又は２種以上を適宜組み合わせて用いることができる。中でも、炭素数１〜１０の脂肪族アルコール系溶媒が好ましく、エタノール、イソプロピルアルコール（ＩＰＡ）がより好ましい。溶媒の量は、加水分解・縮合反応系全体の５〜５０質量％が好ましい。
【００２６】
より具体的には、例えば、有機ケイ素化合物と、シラン又はその部分加水分解縮合物とを、溶媒を反応器に仕込み、酸を添加し、撹拌しながら水を滴下する。水を滴下するときの温度は０〜６０℃、特に０〜４０℃が好ましく、滴下する水の量は加水分解性基に対してモル比で０．６〜２．５の範囲が好ましい。水を滴下した後は、加水分解・縮合反応を行うが、３０〜１００℃、特に５０〜８０℃で、２〜８時間加熱することが好ましい。
【００２７】
加水分解後は、酸の除去を行う。酸の除去にはアルカリ金属炭酸塩、アルカリ金属炭酸水素塩、アルカリ金属水酸化物等で中和する方法や、水洗工程で除去することができる。
【００２８】
工程（ｉｉ）：（Ａ−ｉｉ），工程（Ｂ−ｉｉ）
工程（ｉｉ）は得られた加水分解・縮合物に溶媒を添加し、弱塩基触媒存在下で、上記加水分解・縮合物を縮合させる工程である。
【００２９】
上記（Ｂ−ｉｉ）の場合は、得られた加水分解・縮合物にトリフェニルシラノール及び溶媒を添加し、弱塩基触媒存在下で、上記加水分解・縮合物とトリフェニルシラノールとを縮合させる工程である。（Ｂ−ｉ）工程にトリフェニルシラノールを添加すると、Ｍ単位と反応して（Ｃ6Ｈ5）3ＳｉＯ−ＳｉＲ13が副生する。
【００３０】
工程（ｉｉ）の溶媒としては、化粧料に使用できる油剤が好ましい。具体的には、シリコーン油、炭化水素油等の有機系の油性成分が挙げられる。特に、オクタメチルトリシロキサン、デカメチルテトラシロキサン、デカメチルシクロペンタシロキサン、トリストリメチルシロキシメチルシラン等の揮発性シロキサン化合物、イソドデカン等の揮発性炭化水素化合物が好ましい。これらは１種単独で又は２種以上を適宜組み合わせて用いることができる。油剤の量は１０〜８０質量％である。反応には弱塩基触媒を用いる。弱塩基触媒としては、炭酸水素ナトリウム、酢酸ナトリウム等を挙げることができ、１種単独で又は２種を適宜組み合わせて用いることができる。弱塩基触媒の量は０．００１質量％〜１０質量％である。
【００３１】
工程（Ｂ−ｉｉ）はより具体的には、例えば、上記工程（Ｂ−ｉ）の酸の除去後に、トリフェニルシラノール及び溶媒（油剤）を添加し、弱塩基触媒存在下で、生成したアルコール類と過剰の水を、常圧又は減圧下で、１００〜１５０℃で２〜５時間加熱して除去しながら、上記加水分解・縮合物とトリフェニルシラノールとの縮合反応を行うことにより、フェニルシリコーン樹脂溶液を得ることができる。なお、溶媒（油剤）は、上記工程（ｉ）の加水分解・縮合反応時に添加することもできる。フェニルシリコーン樹脂は固体であるため、上記反応終了後に、溶媒（油剤）で希釈した溶液とすることが好ましい。工程（ｉ）の溶媒、工程（ｉｉ）の溶媒は、反応終了後留去してもよい。希釈に用いる溶媒（油剤）は、工程（ｉ）の溶媒の溶媒、工程（ｉｉ）の溶媒と同じであっても、異なってもよく、シリコーン油、炭化水素油等の有機系の油性成分等が挙げられ、デカメチルシクロペンタシロキサン、イソドデカン、パラメトキシケイ皮酸オクチルが好ましい。希釈した場合は、フェニルシリコーン樹脂量が３０〜７０質量％の溶媒（油剤）溶液とするとよい。
【００３２】
ＩＩＩ．フェニルシリコーン樹脂を含有する化粧料
フェニルシリコーン樹脂を含有する化粧料中のフェニルシリコーン樹脂の配合量は、０．１〜４０質量％が好ましく、０．５〜２０質量％がより好ましい。
本発明の化粧料には、その目的に応じて本発明の効果を損なわない範囲で、上記シリコーン樹脂以外の任意成分を、１種単独で又は２種以上を適宜組み合わせて、適量配合することができる。任意成分としては、例えば下記のものが挙げられ、全て例示である。
【００３３】
[油剤]
油剤は通常の化粧料に使用されるものであれば、常温で固体、半固体、液状、いずれの油剤も使用することができ、上記製造方法や、希釈に用いたものでもよい。油剤としては、シリコーン油、炭化水素油、エステル油、グリセライド油、天然動植物油脂類、半合成油脂、高級アルコール、フッ素系油剤等が挙げられる。なお、上記希釈用溶媒で記載された油剤も重複して記載される。
【００３４】
シリコーン油としては、ジメチルポリシロキサン、トリストリメチルシロキシメチルシラン、カプリリルメチコン、フェニルトリメチコン、テトラキストリメチルシロキシシラン、メチルフェニルポリシロキサン、メチルヘキシルポリシロキサン、メチルハイドロジェンポリシロキサン、ジメチルシロキサン・メチルフェニルシロキサン共重合体等の低粘度から高粘度の直鎖又は分岐状のオルガノポリシロキサン、オクタメチルシクロテトラシロキサン、デカメチルシクロペンタシロキサン、ドデカメチルシクロヘキサシロキサン、テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、シリコーンガムやゴムの環状オルガノポリシロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン等が挙げられる。
【００３５】
炭化水素油としては、直鎖状、分岐状、揮発性の炭化水素油等が挙げられる。具体的には、オゾケライト、α−オレフィンオリゴマー、軽質イソパラフィン、イソドデカン、イソヘキサデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００３６】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等が挙げられる。
【００３７】
グリセライド油としては、アセトグリセリル、トリイソオクタン酸グリセリル、トリイソステアリン酸グリセリル、トリイソパルミチン酸グリセリル、トリベヘン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００３８】
天然動植物油及び半合成油としては、アボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００３９】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００４０】
フッ素系油としては、パーフルオロポリエーテル、パーフルオロデカリン、パーフルオロオクタン等が挙げられる。
【００４１】
油剤を配合する場合の配合量は剤系によっても異なるが、化粧料中１〜９８質量％が好ましい。
【００４２】
[水]
水を配合する場合の配合量は、化粧料中１〜９５質量％から適宜選定される。
【００４３】
[アルコール]
アルコールとしては、炭素数２〜５の低級アルコール、炭素数２〜１０の多価アルコール、糖アルコール、ステロール等が挙げられる。炭素数２〜５の低級アルコールとしては、エタノール、イソプロパノール等が挙げられる。炭素数２〜１０の多価アルコールとしては、ブチレングリコール、プロピレングリコール、ジブチレングリコール、ペンチレングリコール等が挙げられる。糖アルコールとしては、ソルビトール、マルトース等が挙げられる。ステロールとしては、コレステロール、シトステロール、フィトステロール、ラノステロール等が挙げられる。
アルコールを配合する場合の配合量は、化粧料中０．１〜９８質量％が好ましい。
【００４４】
[水溶性増粘剤]
水溶性増粘剤としては、植物系高分子化合物、微生物系高分子化合物、動物系高分子化合物、デンプン系高分子化合物、セルロース系高分子化合物、アルギン酸系高分子化合物、ビニル系高分子化合物、ポリオキシエチレン・ポリオキシプロピレン共重合体系高分子化合物、アクリル系高分子化合物、無機系水溶性高分子化合物等の水溶性又は水膨潤性高分子化合物等が挙げられる。
【００４５】
植物系高分子化合物としては、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、ローカストビーンガム等が挙げられる。
微生物系高分子化合物としては、キサンタンガム、デキストラン、サクシノグルカン、プルラン等が挙げられる。
動物系高分子化合物としては、コラーゲン、カゼイン、アルブミン、ゼラチン等
デンプン系高分子化合物としては、カルボキシメチルデンプン、メチルヒドロキシプロピルデンプン等が挙げられる。
セルロース系高分子化合物としては、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末等が挙げられる。
アルギン酸系高分子化合物としては、アルギン酸ナトリウム、アルギン酸プロピレングリコールエステル等が挙げられる。
ビニル系高分子化合物としては、ポリビニルメチルエーテル、カルボキシビニルポリマー等が挙げられる。
ポリオキシエチレン・ポリオキシプロピレン共重合体系高分子化合物としては、ポリオキシエチレン重合体、ポリオキシプロピレン重合体、ポリオキシエチレン・ポリオキシプロピレン共重合体等が挙げられる。
アクリル系高分子化合物としては、ポリアクリル酸ナトリウム、ポリエチルアクリレート、ポリアクリルアミド、アクリロイルジメチルタウリン塩コポリマー等が挙げられる。
無機系水溶性高分子化合物としては、ベントナイト、ケイ酸アルミニウムマグネシウム、モンモリロナイト、バイデライト、ノントロナイト、サポナイト、ヘクトライト、無水ケイ酸等が挙げられる。
その他、ポリエチレンイミン、カチオンポリマー等の他の合成水溶性高分子化合物等が挙げられる。
【００４６】
水溶性増粘剤を配合する場合の配合量は、化粧料中０．１〜２５質量％が好ましい。
【００４７】
[界面活性剤]
アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等が挙げられる。
【００４８】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００４９】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、ポリオキシアルキレン基及びポリグリセリン基から選ばれる基を有する直鎖又は分岐鎖状オルガノポリシロキサン、そのアルキル共変性オルガノポリシロキサン（ポリオキシアルキレン変性オルガノポリシロキサン、ポリグリセリン変性オルガノポリシロキサン、ポリオキシアルキレン・アルキル共変性オルガノポリシロキサン、分岐状ポリグリセリン・アルキル共変性オルガノポリシロキサン）、アルカノールアミド、糖エーテル、糖アミド等が挙げられる。具体例としては、信越化学工業（株）製のＫＳＧ−２１０、２４０、３１０、３２０、３３０、３４０、３２０Ｚ、３５０Ｚ、７１０、８１０、８２０、８３０、８４０、８２０Ｚ、８５０Ｚ、ＫＦ−６０１１、６０１３、６０４３、６０２８、６０３８、６０４８、６１００、６１０４、６１０５、６１０６等が挙げられる。
【００５０】
両性界面活性剤としては、ベタイン、ホスファチジルコリン、アミノカルボン酸塩、イミダゾリン誘導体、アミドアミン型等が挙げられる。
【００５１】
これらの界面活性剤の中でも、分子中にポリオキシアルキレン鎖、ポリグリセリン鎖を有する直鎖又は分岐状オルガノポリシロキサン(ポリオキシアルキレン基及びポリグリセリン基から選ばれる基を有する直鎖又は分岐鎖状オルガノポリシロキサン)、そのアルキル共変性オルガノポリシロキサン（例えば、さらに炭素数６〜２０の長鎖アルキル基を有するもの）であることが好ましい。
【００５２】
なお、界面活性剤が、ポリオキシアルキレン基及びポリグリセリン基から選ばれる親水基を有する場合、これらの基の含有量は、分子中１０〜７０質量％が好ましい。
【００５３】
界面活性剤を配合する場合の配合量は、化粧料中０．１〜２０質量％が好ましく、０．２〜１０質量％がより好ましい。
【００５４】
[架橋型オルガノポリシロキサン重合物及び液状油剤とからなる組成物]
架橋型オルガノポリシロキサン重合物は、液状油に対し、自重以上の該液状油を含んで膨潤することが好ましい。液状油としては、液状のシリコーン油、炭化水素油、エステル油、天然動植物油、半合成油、フッ素系油等を用いることができ、例えば、０．６５ｍｍ2／秒（２５℃）〜１００．０ｍｍ2／秒（２５℃）の低粘度シリコーン油、流動パラフィン、スクワラン、イソドデカン、イソヘキサデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアナッツ油等の天然動植物油が挙げられる。また、この架橋型オルガノポリシロキサンの架橋剤は、分子中に二つ以上のビニル性反応部位を持ち、かつ、ケイ素原子に直接結合した水素原子との間で反応することにより、架橋構造を形成することが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエン等が挙げられる。
【００５５】
具体例としては、例えば、ＫＳＧ−１５、ＫＳＧ−１５１０、ＫＳＧ−１６、ＫＳＧ−１６１０、ＫＳＧ−１８Ａ、ＫＳＧ−１９、ＫＳＧ−０１６Ｆ、ＫＳＧ−４１Ａ、ＫＳＧ−４２Ａ、ＫＳＧ−４３、ＫＳＧ−４４、ＫＳＧ−０４５Ｚ、ＫＳＧ−２１０、ＫＳＧ−３１０、ＫＳＧ−３２０、ＫＳＧ−３３０、ＫＳＧ−３４０、ＫＳＧ−３２０Ｚ、ＫＳＧ−３５０Ｚ、ＫＳＧ−３６０Ｚ、ＫＳＧ−７１０、ＫＳＧ−８１０、ＫＳＧ−８２０、ＫＳＧ−８４０、ＫＳＧ−８２０Ｚ、ＫＳＧ−８５０Ｚ（信越化学工業（株）製）等が挙げられる。
【００５６】
架橋型オルガノポリシロキサン重合物及び液状油剤とからなる組成物を用いる場合の配合量は、化粧料中０．１〜８０質量％が好ましく、１〜５０質量％がより好ましい。
【００５７】
[被膜形成剤]
被膜形成剤としては下記が挙げられる。
（ｉ）［Ｒ53ＳｉＯ1/2］、［Ｒ62ＳｉＯ2/2］、［Ｒ7ＳｉＯ3/2］及び［ＳｉＯ4/2］
（式中、Ｒ5、Ｒ6及びＲ7は独立に、炭素数１〜８のアルキル基、炭素数６〜１２のアリール基及び炭素数１〜８のフッ素置換アルキル基から選ばれる基である。なお、Ｒ5、Ｒ6及びＲ7は、１分子中にそれぞれ違うものが含まれていてもよい。）
から選ばれる構成単位を有する、上記フェニルシリコーン樹脂以外のシリコーン樹脂
（ｉｉ）直鎖状のアクリル／シリコーン共重合体
（ｉｉｉ）その他のシリコーン樹脂
【００５８】
上記フェニルシリコーン樹脂以外のシリコーン樹脂としては、例えば、
ＫＦ−７３１２Ｊ、ＫＦ−７３１２Ｋ、ＫＦ−７３１２Ｔ、Ｘ−２１−５２４９、Ｘ−２１−５２５０、ＫＦ−９０２１、Ｘ−２１−５５９５、Ｘ−２１−５６１６（信越化学工業（株）製）等が挙げられる。
【００５９】
直鎖状のアクリル／シリコーン共重合体としては、化粧品原料として用いられるものであれば特に限定されず、ブロック共重合体でも、グラフト共重合体でもよい。直鎖状のアクリル／シリコーン共重合体は、ピロリジニル基、長鎖アルキル基、ポリオキシアルキレン基及びフルオロアルキル基及びカルボキシル基等から選択される１種以上のアニオン性基を分子中に有していてもよい。直鎖状のアクリル／シリコーン共重合体としては、例えば、ＫＰ−５４１、ＫＰ−５４３、ＫＰ−５４５、ＫＰ−５４９、ＫＰ−５５０、ＫＰ−５４５Ｌ、ＫＰ−５６１Ｐ、ＫＰ−５６２Ｐ、ＫＰ−５７５、ＫＰ−５７８（信越化学工業（株）製）等が挙げられる。
【００６０】
その他のシリコーン樹脂としては、例えば、ＴＳＰＬ−３０−ＩＤ、ＴＳＰＬ−３０−Ｄ５、ＮＢＮ−３０−ＩＤ（信越化学工業（株）製）等が挙げられる。
【００６１】
被膜形成剤を用いる場合の配合量は、化粧料中０．１〜２０質量％が好ましく、１〜１０質量％がより好ましい。
【００６２】
[粉体]
粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができる。例えば、無機粉体、有機粉体、界面活性剤金属塩粉体、有色顔料、パール顔料、金属粉末顔料、タール色素、天然色素等が挙げられる。
【００６３】
無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、シリカ等が挙げられる。
【００６４】
有機粉体としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等が挙げられる。
【００６５】
界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
【００６６】
有色顔料としては、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等が挙げられる。
【００６７】
パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等が挙げられる。
金属粉末顔料としては、アルミニウムパウダー、カッパーパウダー、ステンレスパウダー等が挙げられる。
【００６８】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等が挙げられる。
天然色素としては、カルミン酸、ラッカイン酸、カルサミン、ブラジリン、クロシン等が挙げられる。
【００６９】
これらの粉体は本発明の効果を損なわない範囲で、粉体を複合化したものや、一般油剤、シリコーン油、フッ素化合物、界面活性剤等で処理したもの、加水分解性シリル基やケイ素原子に直接結合した水素原子を有するアルキル基で処理したものも使用することができる。また、加水分解性シリル基やケイ素原子に直接結合した水素原子を有する直鎖状及び／又は分岐状のオルガノポリシロキサン、加水分解性シリル基やケイ素原子に直接結合した水素原子を有し、長鎖アルキルで共変性された直鎖状及び／又は分岐状オルガノポリシロキサン、加水分解性シリル基やケイ素原子に直接結合した水素原子を有し、ポリオキシアルキレンで共変性された直鎖状及び／又は分岐状オルガノポリシロキサン、加水分解性シリル基やケイ素原子に直接結合した水素原子を有するアクリル／シリコーン共重合体等も用いることができる。
【００７０】
例えば、シリコーン油を含む膨潤物として市販されているシリコーンパウダーとして、ＫＭＰ−５９８，５９０、５９１、ＫＦＧ−０１６Ｆ（信越化学工業（株）製）等が挙げられる。
【００７１】
シリコーンパウダーを複合化したシリコーン樹脂被覆シリコーンゴム粉末の具体例としては、化粧品表示名称で定義される、（ビニルジメチコン／メチコンシルセスキオキサン）クロスポリマー、（ジフェニルジメチコン／ビニルジフェニルジメチコン／シルセスキオキサン）クロスポリマー、ポリシリコーン−２２、ポリシリコーン−１クロスポリマー等の名称で知られている。これらは、ＫＳＰ−１００，１０１，１０２，１０５，３００，４１１，４４１（信越化学工業（株）製）等が挙げられる。
【００７２】
粉体を用いる場合の配合量は、化粧料中０．１〜９９質量％が好ましく、１〜７０質量％が好ましい。特に、粉末固形化粧料の場合の配合量としては、化粧料全体の８０〜９９質量％が好ましい。
【００７３】
本発明の化粧料には、本発明の効果を損なわない範囲で、さらに、油溶性ゲル化剤、制汗剤、紫外線吸収剤、紫外線吸収散乱剤、保湿剤、防腐剤、抗菌剤、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、毛髪用固形化剤、香料、包接化合物等を添加することができる。これらは１種単独で又は２種以上を適宜組み合わせて用いることができる。
【００７４】
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等が挙げられる。
【００７５】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等が挙げられる。
【００７６】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン、２−ヒドロキシ−４−メトキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸、トリアジン誘導体等が挙げられ、紫外線吸収散乱剤としては微粒子酸化チタン、微粒子鉄含有酸化チタン、微粒子酸化亜鉛、微粒子酸化セリウム及びそれらの複合体等、紫外線を吸収散乱する粉体等が挙げられる。また、これらの紫外線を吸収散乱する粉体をあらかじめ油剤に分散させた分散物を用いることもできる。紫外線吸収剤を用いる場合の配合量は、化粧料全体の１〜３０質量％が好ましい。
【００７７】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等が挙げられる。
【００７８】
防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等が挙げられる。
【００７９】
塩類としては、無機塩、有機酸塩、アミン塩及びアミノ酸塩等が挙げられる。無機塩としては、例えば、塩酸、硫酸、炭酸、硝酸等の無機酸のナトリウム塩、カリウム塩、マグネシウム塩、カルシウム塩、アルミニウム塩、ジルコニウム塩、亜鉛塩等が挙げられる。有機酸塩としては、例えば、酢酸、デヒドロ酢酸、クエン酸、りんご酸、コハク酸、アスコルビン酸、ステアリン酸等の有機酸類の塩が挙げられる。アミン塩及びアミノ酸塩としては、例えば、トリエタノールアミン等のアミン類の塩、グルタミン酸等のアミノ酸類の塩等が挙げられる。また、その他、ヒアルロン酸、コンドロイチン硫酸等の塩、アルミニウムジルコニウムグリシン錯体等や、さらには、化粧品処方の中で使用される酸−アルカリの中和塩等も使用することができる。
【００８０】
酸化防止剤としては、トコフェロール、ｐ−ｔ−ブチルフェノール、ブチルヒドロキシアニソール、ジブチルヒドロキシトルエン、フィチン酸等が挙げられる。
ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等が挙げられる。
キレート剤としては、アラニン、エデト酸ナトリウム塩、ポリリン酸ナトリウム、メタリン酸ナトリウム、リン酸等が挙げられる。
清涼剤としては、Ｌ−メントール、カンフル等が挙げられる。
抗炎症剤としては、アラントイン、グリチルリチン酸及びその塩、グリチルレチン酸及びグリチルレチン酸ステアリル、トラネキサム酸、アズレン等が挙げられる。
【００８１】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００８２】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ2類、ピリドキシン塩酸塩、ピリドキシンジオクタノエート、ピリドキシントリパルミテート等のビタミンＢ6類、ビタミンＢ12及びその誘導体、ビタミンＢ15及びその誘導体等のビタミンＢ類、Ｌ−アスコルビン酸、Ｌ−アスコルビン酸ジパルミチン酸エステル、Ｌ−アスコルビン酸−２−硫酸ナトリウム、 Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等が挙げられる。
【００８３】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等が挙げられる。
核酸としては、デオキシリボ核酸等が挙げられる。
ホルモンとしては、エストラジオール、エテニルエストラジオール等が挙げられる。
【００８４】
毛髪用固形剤としては、両性、アニオン性、カチオン性、非イオン性の各高分子化合物が挙げられ、ポリビニルピロリドン、ビニルピロリドン・酢酸ビニル共重合体等の、ポリビニルピロリドン系高分子化合物、メチルビニルエーテル・無水マレイン酸アルキルハーフエステル共重合体等の酸性ビニルエーテル系高分子化合物、酢酸ビニル・クロトン酸共重合体等の酸性ポリ酢酸ビニル系高分子化合物、（メタ）アクリル酸・アルキル（メタ）アクリレート共重合体、（メタ）アクリル酸・アルキル（メタ）アクリレート・アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン・アルキル（メタ）アクリレート共重合体、ヒドロキシプロピル（メタ）アクリレート・ブチルアミノエチルメタクリレート・アクリル酸オクチルアミド共重合体等の両性アクリル系高分子化合物が挙げられる。また、セルロース又はその誘導体、ケラチン、コラーゲン及びその誘導体等の天然由来高分子化合物も好適に用いることができる。
【００８５】
本発明において、化粧料の剤形又は形態は特に限定されず、水性、油性、油中水型エマルジョン、水中油型エマルジョン、非水エマルジョン、Ｗ／Ｏ／ＷやＯ／Ｗ／Ｏ等のマルチエマルジョン、サスペンジョン、ペースト、固形であってよい。
【００８６】
化粧料の用途も特に限定されず、例えば、スキンケア化粧料、頭髪化粧料、メークアップ化粧料、紫外線防御用化粧料、制汗剤等が挙げられる。
スキンケア化粧料としては、化粧水、乳液、クリーム、クレンジング、パック、オイルリキッド、マッサージ料、美容液、美容オイル、ハンドクリーム、リップクリーム、しわ隠しスキンケア化粧料等が挙げられる。頭髪化粧料としては、シャンプー、リンス、トリートメント、ヘアクリーム、キューティクルコート、セット剤等が挙げられる。メークアップ化粧料としては、メークアップ下地、コンシーラー、白粉、パウダーファンデーション、リキッドファンデーション、クリームファンデーション、油性ファンデーション、ホホ紅、アイシャドウ、マスカラ、アイライナー、アイブロウ、口紅、ネイル用品等が挙げられる。紫外線防御用化粧料としては、サンカット（日焼け止め）オイルやサンカット乳液、サンカットクリーム、サンカットローション等が挙げられる。
【実施例】
【００８７】
以下、実施例及び比較例を示し、本発明を具体的に説明するが、本発明は下記の実施例に制限されるものではない。なお、下記の例において特に明記のない場合は、組成の「％」は質量％を示す。
【００８８】
［実施例１］
ヘキサメチルジシロキサン７０ｇ、トリエトキシフェニルシラン２１０ｇ、ＳｉＯ2分を４０％含むエチルポリシリケート１００ｇ及びＩＰＡ（イソプロピルアルコール）１１０ｇを反応器に仕込み、メタンスルフォン酸２．２ｇを添加して１０〜２０℃に冷却し、撹拌しながら水１１２ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、トリフェニルシラノール２２ｇ、炭酸水素ナトリウム１．９ｇ及びイソドデカン３００ｇを添加して、１００℃で３時間加熱し、その後１３０℃で２時間加熱して、生成したエタノール及び過剰の水を除去した後、冷却した。さらに、減圧留去した後、イソドデカンでシリコーン樹脂濃度が５０％になるよう希釈調整後、濾過することにより、重量平均分子量２，９５０、（Ｃ6Ｈ5）3ＳｉＯ1/2単位：（ＣＨ3）3ＳｉＯ1/2単位：（Ｃ6Ｈ5）ＳｉＯ3/2単位：ＳｉＯ4/2単位のモル比率が０．０３：０．３６：０．３３：０．２８の５０％シリコーン樹脂イソドデカン溶液を得た。被膜の屈折率は１．５０６であった。
【００８９】
［実施例２］
ヘキサメチルジシロキサン７０ｇ、トリエトキシフェニルシラン２１０ｇ、ＳｉＯ2分を４０％含むエチルポリシリケート１００ｇ及びＩＰＡ１１０ｇを反応器に仕込み、メタンスルフォン酸２．２ｇを添加して１０〜２０℃に冷却し、撹拌しながら水１１２ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、トリフェニルシラノール２２ｇ、酢酸ナトリウム１．９ｇ、イソドデカン３００ｇを添加して、１００℃で３時間加熱し、その後１３０℃で２時間加熱して、生成したエタノール及び過剰の水を除去した後、冷却した。さらに、減圧留去した後、イソドデカンでシリコーン樹脂濃度が５０％になるよう希釈調整後、濾過することにより、重量平均分子量２，９５０、（Ｃ6Ｈ5）3ＳｉＯ1/2単位：（ＣＨ3）3ＳｉＯ1/2単位：（Ｃ6Ｈ5）ＳｉＯ3/2単位：ＳｉＯ4/2単位のモル比率が０．０３：０．３６：０．３３：０．２８の５０％シリコーン樹脂イソドデカン溶液を得た。被膜の屈折率は１．５０６であった。
【００９０】
［実施例３］
ヘキサメチルジシロキサン４１ｇ、ジエトキシジフェニルシラン２３ｇ、トリエトキシフェニルシラン４８ｇ、ＳｉＯ2分を４０％含むエチルポリシリケート１００ｇ及びＩＰＡ５４ｇを反応器に仕込み、メタンスルフォン酸１．１ｇを添加して１０〜２０℃に冷却し、撹拌しながら水５１．５ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、トリフェニルシラノール２９．５ｇ、炭酸水素ナトリウム０．９５ｇ、イソドデカン１５０ｇを添加して、１００℃で３時間加熱し、その後１３０℃で２時間加熱して、生成したエタノール及び過剰の水を除去した後、冷却した。さらに、減圧留去した後、イソドデカンでシリコーン樹脂濃度が５０％になるよう希釈調整後、濾過することにより、重量平均分子量３，５００、（Ｃ6Ｈ5）3ＳｉＯ1/2単位：（ＣＨ3）3ＳｉＯ1/2単位：（Ｃ6Ｈ5）2ＳｉＯ2/2単位：（Ｃ6Ｈ5）ＳｉＯ3/2単位：ＳｉＯ4/2単位のモル比率が０．０７：０．３３：０．０６：０．１１：０．４３の５０％シリコーン樹脂イソドデカン溶液を得た。被膜の屈折率は１．５０１であった。
【００９１】
［実施例４］
ヘキサメチルジシロキサン４１ｇ、ジエトキシジフェニルシラン２３ｇ、トリエトキシフェニルシラン２４ｇ、ＳｉＯ2分を４０％含むエチルポリシリケート１００ｇ及びＩＰＡ５４ｇを反応器に仕込み、メタンスルフォン酸１．１ｇを添加して１０〜２０℃に冷却し、撹拌しながら水４５ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、トリフェニルシラノール２９．５ｇ、炭酸水素ナトリウム０．９５ｇ及びイソドデカン１５０ｇを添加して、１００℃で３時間加熱し、その後１３０℃で２時間加熱して、生成したエタノール及び過剰の水を除去した後、冷却した。さらに、減圧留去した後、イソドデカンでシリコーン樹脂濃度が５０％になるよう希釈調整後、濾過することにより、重量平均分子量３，２７０、（Ｃ6Ｈ5）3ＳｉＯ1/2単位、（ＣＨ3）3ＳｉＯ1/2単位、（Ｃ6Ｈ5）2ＳｉＯ2/2単位、（Ｃ6Ｈ5）ＳｉＯ3/2単位、ＳｉＯ4/2単位のモル比率が０．０７：０．３５：０．０６：０．０６：０．４６の５０％シリコーン樹脂イソドデカン溶液を得た。被膜の屈折率は１．４９２であった。
【００９２】
［実施例５］
ヘキサメチルジシロキサン５４ｇ、トリエトキシフェニルシラン１７０ｇ、ＳｉＯ2分を４０％含むエチルポリシリケート６１ｇ及びＩＰＡ１１０ｇを反応器に仕込み、メタンスルフォン酸２．２ｇを添加して１０〜２０℃に冷却し、撹拌しながら水８０ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、トリフェニルシラノール１４ｇ、炭酸水素ナトリウム１．９ｇ及びイソドデカン２００ｇを添加して、１００℃で３時間加熱し、その後１３０℃で２時間加熱して、生成したエタノール及び過剰の水を除去した後、冷却した。更に、減圧留去した後、イソドデカンでシリコーン樹脂濃度が５０％になるよう希釈調整後、濾過することにより、重量平均分子量２，９３０、（Ｃ6Ｈ5）3ＳｉＯ1/2単位：（ＣＨ3）3ＳｉＯ1/2単位：（Ｃ6Ｈ5）ＳｉＯ3/2単位：ＳｉＯ4/2単位のモル比率が０．０３：０．３８：０．３６：０．２３の５０％シリコーン樹脂イソドデカン溶液を得た。被膜の屈折率は１．５１１であった。
【００９３】
［実施例６］
ヘキサメチルジシロキサン６０ｇ、トリエトキシフェニルシラン１７０ｇ、ＳｉＯ2分を４０％含むエチルポリシリケート６１ｇ及びＩＰＡ１１０ｇを反応器に仕込み、メタンスルフォン酸２．２ｇを添加して１０〜２０℃に冷却し、撹拌しながら水８０ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、炭酸水素ナトリウム１．９ｇ及びイソドデカン３００ｇを添加して、１００℃で３時間加熱し、その後１３０℃で２時間加熱して、生成したエタノール及び過剰の水を除去した後、冷却した。更に、減圧留去した後、イソドデカンでシリコーン樹脂濃度が５０％になるよう希釈調整後、濾過することにより、重量平均分子量３，４１０、（ＣＨ3）3ＳｉＯ1/2単位：（Ｃ6Ｈ5）ＳｉＯ3/2単位：ＳｉＯ4/2単位のモル比率が０．４２：０．３５：０．２３の５０％シリコーン樹脂イソドデカン溶液を得た。被膜の屈折率は１．４８８であった。
【００９４】
［実施例７］
ヘキサメチルジシロキサン６０ｇ、トリエトキシフェニルシラン２２０ｇ、ＳｉＯ2分を４０％含むエチルポリシリケート６１ｇ及びＩＰＡ１１０ｇを反応器に仕込み、メタンスルフォン酸２．２ｇを添加して１０〜２０℃に冷却し、撹拌しながら水１００ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、炭酸水素ナトリウム１．９ｇ及びイソドデカン３００ｇを添加して、１００℃で３時間加熱し、その後１３０℃で２時間加熱して、生成したエタノール及び過剰の水を除去した後、冷却した。更に、減圧留去した後、イソドデカンでシリコーン樹脂濃度が５０％になるよう希釈調整後、濾過することにより、重量平均分子量３，９００、（ＣＨ3）3ＳｉＯ1/2単位：（Ｃ6Ｈ5）ＳｉＯ3/2単位：ＳｉＯ4/2単位のモル比率が０．３８：０．４１：０．２１の５０％シリコーン樹脂イソドデカン溶液を得た。被膜の屈折率は１．５０３であった。
【００９５】
［実施例８］
ヘキサメチルジシロキサン５４ｇ、トリエトキシフェニルシラン２２０ｇ、ＳｉＯ2分を４０％含むエチルポリシリケート６１ｇ及びＩＰＡ１１０ｇを反応器に仕込み、メタンスルフォン酸２．２ｇを添加して１０〜２０℃に冷却し、撹拌しながら水１００ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、炭酸水素ナトリウム１．９ｇ及びイソドデカン３００ｇを添加して、１００℃で３時間加熱し、その後１３０℃で２時間加熱して、生成したエタノール及び過剰の水を除去した後、冷却した。更に、減圧留去した後、イソドデカンでシリコーン樹脂濃度が５０％になるよう希釈調整後、濾過することにより、重量平均分子量４，５１０、（ＣＨ3）3ＳｉＯ1/2単位：（Ｃ6Ｈ5）ＳｉＯ3/2単位：ＳｉＯ4/2単位のモル比率が０．３５：０．４３：０．２２の５０％シリコーン樹脂イソドデカン溶液を得た。被膜の屈折率は１．５１０であった。
【００９６】
［比較例１］
ヘキサメチルジシロキサン３８ｇ、トリエトキシフェニルシラン１０１ｇ及びＩＰＡ５５ｇを反応器に仕込み、メタンスルフォン酸１．１ｇを添加して１０〜２０℃に冷却し、撹拌しながら水４０ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、炭酸水素ナトリウム０．９５ｇ、イソドデカン１００ｇを添加して、１３０℃まで加熱し、生成したエタノール及び過剰の水を除去した後、冷却した。さらに、減圧留去した後、イソドデカンでシリコーン樹脂濃度が５０％になるよう希釈調整後、濾過することにより、重量平均分子量１,３６０、（ＣＨ3）3ＳｉＯ1/2単位：（Ｃ6Ｈ5）ＳｉＯ3/2単位のモル比率が０．５６：０．４４の５０％シリコーン樹脂イソドデカン溶液を得たが、高粘度液体であるため被膜が得られず、屈折率を測定できなった。
【００９７】
［比較例２］
ヘキサメチルジシロキサン１８ｇ、トリエトキシフェニルシラン１８０ｇ及びＩＰＡ５５ｇを反応器に仕込み、メタンスルフォン酸１．１ｇを添加して１０〜２０℃に冷却し、撹拌しながら水６５ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、炭酸水素ナトリウム０．９５ｇ、イソドデカン１００ｇを添加して、１３０℃まで加熱し、生成したエタノール及び過剰の水を除去した後、冷却したが、イソドデカンへ溶解せず、白濁したためろ過ができなかった。このため屈折率を測定できなった。
なお、ろ過前のシリコーン樹脂は、重量平均分子量４，３１０、（ＣＨ3）3ＳｉＯ1/2単位：（Ｃ6Ｈ5）ＳｉＯ3/2単位のモル比率が０．２５：０．７５であった。
【００９８】
［比較例３］
ヘキサメチルジシロキサン４２ｇ、トリエトキシフェニルシラン１００ｇ、ＳｉＯ2分を４０％含むエチルポリシリケート１４０ｇ及びＩＰＡ１１０ｇを反応器に仕込み、メタンスルフォン酸１．１ｇを添加して１０〜２０℃に冷却し、撹拌しながら水５５ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、炭酸水素ナトリウム０．９５ｇ、イソドデカン１００ｇを添加して、１３０℃まで加熱し、生成したエタノール及び過剰の水を除去した後、冷却した。更に、減圧留去した後、イソドデカンでシリコーン樹脂濃度が５０％になるよう希釈調整後、濾過することにより、重量平均分子量１０,１６０、（ＣＨ3）3ＳｉＯ1/2単位：（Ｃ6Ｈ5）ＳｉＯ3/2単位：ＳｉＯ4/2単位のモル比率が０．２９：０．２０：０．５１の５０％シリコーン樹脂イソドデカン溶液を得た。被膜が脆いため、屈折率を測定できなった。
【００９９】
［比較例４］
ヘキサメチルジシロキサン７５ｇ、ＳｉＯ2分を４０％含むエチルポリシリケート２１０ｇ及びＩＰＡ１１０ｇを反応器に仕込み、メタンスルフォン酸１．１ｇを添加して１０〜２０℃に冷却し、撹拌しながら水５５ｇを滴下した。滴下終了後、４０〜６０℃で５時間加熱して加水分解・縮合反応を行い、シリコーン樹脂溶液を得た。
次いで、２５％水酸化ナトリウム水溶液１．７５ｇ及び炭酸カルシウム０．２５ｇを加えて酸を中和した後、イソドデカン２００ｇを添加して、１３０℃まで加熱し、生成したエタノール及び過剰の水を除去した後、冷却した。更に、減圧留去した後、イソドデカンでシリコーン樹脂濃度が５０％になるよう希釈調整後、濾過することにより、重量平均分子量５，２２０、（ＣＨ3）3ＳｉＯ1/2単位：ＳｉＯ4/2単位のモル比率が０．４０：０．６０の５０％シリコーン樹脂イソドデカン溶液を得た。被膜が脆いため、屈折率を測定できなった。
【０１００】
［比較例５］
ヘキサメチルジシロキサン５０ｇ、トリエトキシフェニルシラン２１０ｇ、ＳｉＯ2分を４０％含むエチルポリシリケート１００ｇ及びＩＰＡ１１０ｇを反応器に仕込み、メタンスルフォン酸２．２ｇを添加して１０〜２０℃に冷却し、撹拌しながら水１１２ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、トリフェニルシラノール７．５ｇ、炭酸水素ナトリウム１．９ｇ、イソドデカン３００ｇを添加して、１００℃で３時間加熱し、その後１３０℃で２時間加熱して、生成したエタノール及び過剰の水を除去した後、冷却したが、イソドデカンへ溶解せず、白濁したためろ過ができなった。このため屈折率を測定できなった。
なお、ろ過前のシリコーン樹脂は、重量平均分子量８，１２０、（Ｃ6Ｈ5）3ＳｉＯ1/2単位：（ＣＨ3）3ＳｉＯ1/2単位：（Ｃ6Ｈ5）ＳｉＯ3/2単位：ＳｉＯ4/2単位のモル比率が０．０１：０．３０：０．３７：０．３２であった。
【０１０１】
測定方法を下記に示す。
・重量平均分子量：ＧＰＣ（ゲルパーミュエーションクロマトグラフィー、東ソー社製）分析によるポリスチレン換算値
・各構成単位のモル比率：Ｓｉ−ＮＭＲ（ＪＥＯＬ社製）より算出した。
・屈折率：シリコーン樹脂溶媒溶液を塗工し、溶媒を溜去して、厚さ約１ｍｍの被膜とした。この被膜について、Ａｂｂｅｍａｔ屈折率計（Ａｎｔｏｎ  Ｐａａｒ社製）で測定温度２５℃の屈折率を測定した。
【０１０２】
上記例で得られた各シリコーン樹脂の重量平均分子量、構成単位のモル比率、被膜の屈折率、フェノール率を下記表に示す。
【０１０３】
【表１】
2021526180.tif 000005
ＭΦ：[（Ｃ6Ｈ5）3ＳｉＯ1/2]
Ｍ：[(ＣＨ3)3ＳｉＯ1/2]
ＤΦ：[(Ｃ6Ｈ5)2ＳｉＯ2/2]
ＴΦ：[(Ｃ6Ｈ5)ＳｉＯ3/2]
Ｑ：[ＳｉＯ4/2] 
【０１０４】
［参考例１］
ヘキサメチルジシロキサン７０ｇ、トリフェニルシラノール２２ｇ、トリエトキシフェニルシラン２１０ｇ、ＳｉＯ2分を４０％含むエチルポリシリケート１００ｇ及びＩＰＡ１１０ｇを反応器に仕込み、メタンスルフォン酸２．２ｇを添加して１０〜２０℃に冷却し、撹拌しながら水１１２ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、炭酸水素ナトリウム１．９ｇ、イソドデカン３００ｇを添加して、１００℃で３時間加熱し、その後１３０℃で２時間加熱して、生成したエタノール及び過剰の水を除去した後、冷却したが、副生成物が生成したため、反応を中止した。
【０１０５】
［参考例２］
ヘキサメチルジシロキサン７０ｇ、トリエトキシフェニルシラン２１０ｇ、ＳｉＯ2分を４０％含むエチルポリシリケート１００ｇ及びＩＰＡ１１０ｇを反応器に仕込み、メタンスルフォン酸２．２ｇを添加して１０〜２０℃に冷却し、撹拌しながら水１１２ｇを滴下した。滴下終了後、４０〜６０℃で５時間加熱して加水分解・縮合反応を行い、シリコーン樹脂溶液を得た。
次いで、２５％水酸化ナトリウム水溶液３．５ｇ及び炭酸カルシウム０．５ｇを加えて酸を中和した後、トリフェニルシラノール２２ｇ、イソドデカン３００ｇを添加して、１００℃で３時間加熱し、その後１３０℃で２時間加熱して、生成したエタノール及び過剰の水を除去した後、冷却したが、トリフェニルシラノールが反応しなかったため、中止した。
【０１０６】
組成式（１）において、ａが０．０１〜０．２のものを製造する場合、下記のことが確認された。
実施例１と参考例１から、トリフェニルシラノールを最初に仕込むと加水分解時に副生成物が生成するため、トリフェニルシラノールは加水分解後に添加した方がよいことが確認された。
実施例１，２と参考例２とから、トリフェニルシラノールの反応触媒として、炭酸水素ナトリウム、酢酸ナトリウムが有効であることを確認した。
上記例で得られたシリコーン樹脂溶液の溶媒を溜去し、被膜とした後、被膜の外観、べたつき、摩擦による脆さを評価した。結果を下記表２に示す。
【０１０７】
【表２】
2021526180.tif 000006
【０１０８】
実施例１〜８はいずれも均一な連続被膜が得られ、べたつきがなく、脆さもなかった。比較例１は高粘度液体となり、比較例２はイソドデカンに溶解しなかった。比較例３，４では、べたつきはないが、ひび割れのある硬い被膜であり、摩擦により簡単に膜が壊れ、脆いものであった。比較例５はイソドデカンに溶解しなかった。
【０１０９】
上記例で得られたシリコーン樹脂溶液の溶媒を溜去し、シリコーン樹脂と各油剤（デカメチルシクロペンタシロキサン、イソドデカン、パラメトキシケイ皮酸オクチル）との相溶性をシリコーン樹脂濃度５０％として、樹脂を溶解する際に７０℃のオーブンを使用して評価した。結果を、○：可溶、△：微濁、×：不溶として下記表に示す。「○」、「△」を合格とする。
【０１１０】
【表３】
2021526180.tif 000007
【０１１１】
上記例で得られた５０％シリコーン樹脂溶液１００％に対して、下記紫外線吸収剤（Ａ）、（Ｂ）又は（Ｃ）を１０％の割合で添加し、シリコーン樹脂溶液と紫外線吸収剤との相溶性を評価した。結果を、○：可溶、△：微濁、×：不溶として下記表に示す。「○」、「△」を合格とする。
比較例２及び５は、パラメトキシケイ皮酸オクチルの溶解性を確認していない。
【０１１２】
【表４】
2021526180.tif 000008
（Ａ）：パラメトキシケイ皮酸オクチル（ケイ皮酸系紫外線吸収剤）
（Ｂ）：２−ヒドロキシ−４−メトキシベンゾフェノン（ベンゾフェノン系紫外線吸収剤）
（Ｃ）：４−ｔ−ブチル−４’−メトキシ−ジベンゾイルメタン（ジベンゾイルメタン系紫外線吸収剤）
【０１１３】
比較例２及び５は、シリコーン樹脂がイソドデカンに溶解しないため評価していない。
【０１１４】
［耐水性評価試験］
上記例で得られたシリコーン樹脂溶液を用いて下記処方及び製造方法でサンカットクリームを調製した。得られたサンカットクリームを用いて耐水性評価を行った。
組成                                                            質量（％）
１．架橋型ポリエーテル変性シリコーン（注１）                      ３．５
２．架橋型ジメチルポリシロキサン（注２）                          ３．０
３．アルキル変性分岐型ポリエーテル変性シリコーン（注３）          ０．５
４．各例で得られたシリコーン樹脂溶液                            １０．０
５．イソドデカン                                                  １．５
６．パラメトキシケイ皮酸オクチル                                  ７．５
７．１，３−ブチレングリコール                                    ５．５
８．クエン酸ナトリウム                                            ０．２
９．塩化ナトリウム                                                ０．５
１０．精製水                                                    ６７．８
合計                                                          １００．０
（注１）信越化学工業（株）製：ＫＳＧ−２４０
（注２）信越化学工業（株）製：ＫＳＧ−１８Ａ
（注３）信越化学工業（株）製：ＫＦ−６０３８
【０１１５】
＜化粧料の調製＞
Ａ：成分１〜６を均一に混合した。
Ｂ：成分７〜１０を混合して、均一にした。
Ｄ：ＢをＡに添加して乳化してサンカットクリームを得た。
得られたサンカットクリームを、石英板に塗布して、塗り広げた後、ＵＶ−２０００Ｓ  ＳＰＦアナライザー（Ｌａｂｓｐｈｅｒｅ社製）で、透過率（％）を測定した（初期）。水に４０分間浸した後、再度透過率を測定（４０分後）し、紫外線防御効果の耐水性評価を行った。結果を下記表に示す。
【０１１６】
【表５】
2021526180.tif 000009
【０１１７】
フェニル基含有率が高いフェニルシリコーン樹脂は、パラメトキシケイ皮酸オクチルと相溶性が高いため、被膜内に保持され、紫外線防御効果の耐水性評価が向上したと考えられる。
比較例２及び５は、シリコーン樹脂がイソドデカンに溶解しないため評価していない。
【０１１８】
［実施例９，１０、比較例６，７：化粧料の使用性評価・２次付着防止効果］
上記例で得られたシリコーン樹脂溶液を用いて下記処方及び製造方法で乳化型クリームファンデーションを調製した。得られた乳化型クリームファンデーションを用いて下記評価を行った。
【０１１９】
【表６】
2021526180.tif 000010
（注１）信越化学工業（株）製：ＫＳＧ−２１０
（注２）信越化学工業（株）製：ＫＳＧ−１５
（注３）信越化学工業（株）製：ＫＦ−６０１７
（注４）信越化学工業（株）製：ＫＦ−９６Ａ−６ｃｓ
（注５）信越化学工業（株）製：ＫＭＰ−５９０
（注６）信越化学工業（株）製：ＫＦ−９９０９処理
【０１２０】
［化粧料の調製］
成分１〜４、５の一部、６〜８、１６〜２０及び２１を攪拌し均一になるように混合した。これに別途成分１１に均一溶解させた成分９及び１０を穏やかに加え、乳化した。この乳化物に、成分１２〜１５、５の残部、及び２２を加えて混合した。これを所定の容器に充填し、乳化型クリームファンデーションを調製した。
【０１２１】
［使用性評価］
乳化型クリームファンデーションについて、５０名の女性の専門パネラーに、塗布時の延び（展延性）、べたつき感、仕上がりの色むら、化粧もち：持続性（塗布後８時間後評価）を、下記表に示す評価基準により評価した。評価結果の平均点を算出した。
【０１２２】
［２次付着防止効果］
専門パネルの額部に、乳化型クリームファンデーションを同様な操作によりそれぞれ塗布し、塗布後２０分間経過した時点で、塗布部にティッシュペーパーを押し当て、化粧料の二次付着防止効果を、下記表７に示す下記基準により評価した。評価結果の平均点を算出した。
【０１２３】
【表７】
2021526180.tif 000011
【０１２４】
得られた評価結果の平均点に基づき、結果を下記に基づいて表８に示す。
◎：平均点が４．０点以上
○：平均点が３．０点以上４．０点未満
△：平均点が２．０点以上３．０点未満
×：平均点が２．０点未満
【０１２５】
【表８】
2021526180.tif 000012
【０１２６】
表８から明らかなように、本発明の化粧料は、比較例に比べ、全ての評価項目、特に、延び、化粧もち、２次付着防止性の点で顕著に優れていた。
【０１２７】
［実施例１１，１２、比較例８：化粧料の使用性評価］
上記例で得られたシリコーン樹脂溶液を用いて下記処方及び製造方法でリップスティックを調製した。得られたリップスティックを用いて下記評価を行った。
【０１２８】
【表９】
2021526180.tif 000013
（注１）信越化学工業（株）製：ＫＰ−５６１Ｐ
（注２）信越化学工業（株）製：ＫＦ−５４
（注３）信越化学工業（株）製：ＫＦ−６１０５
【０１２９】
＜化粧料の調製＞
Ａ：成分１〜１２を加熱し、均一に混合した。
Ｂ：加熱下、成分１３〜１６をＡに加えて均一に混合した。
Ｃ：得られた混合物を、気密性の高い所定の容器に充填して、リップスティックを得た。
以上のようにして得られたリップスティックは、べたつきや油っぽさがなく、にじみ等もなく、化粧もちもよいことが確認された。
【０１３０】
［使用性評価］
得られたリップスティックについて、５０名の女性の専門パネラーに、塗布時の延び（展延性）、べたつき感、仕上がりの色むら、化粧もち：持続性（塗布後８時間後評価）を、上記乳化型クリームファンデーションの評価方法と同様に評価した。結果を下記表に示す。
【０１３１】
【表１０】
2021526180.tif 000014
【０１３２】
以下、化粧料の処方例を示す。以下において、「延び」、「化粧もち」について上記と同様の基準で評価し、ファンデーションについては２次付着防止性についても、上記と同様の基準で評価した。
【０１３３】
［実施例１３］パウダーファンデーション
組成                                                              （％）
１．シリコーン処理酸化チタン（注１）                            １２．０
２．シリコーン処理セリサイト（注１）                            ３５．０
３．レシチン処理タルク                                          ３５．１
４．レシチン処理球状ナイロン粉末                                  ５．０
５．シリコーン処理ベンガラ（注１）                                ０．４
６．シリコーン処理黄酸化鉄（注１）                                ２．０
７．シリコーン処理アンバー（注１）                                ０．４
８．シリコーン処理黒酸化鉄（注１）                                ０．１
９．実施例１のシリコーン樹脂溶液                                  ３．０
１０．架橋型ジメチルポリシロキサン（注２）                        ４．０
１１．トリオクタン酸グリセリル                                    １．５
１２．シリコーンワックス（注３）                                  １．５
合計                                                          １００．０
（注１）信越化学工業（株）製：ＫＦ−９９０９処理
（注２）信越化学工業（株）製：ＫＳＧ−１６
（注３）信越化学工業（株）製：ＫＰ−５６２Ｐ
【０１３４】
＜化粧料の調製＞
Ａ：成分１〜８を混合して均一に粉砕した。
Ｂ：成分９〜１２を均一混合した。
Ｃ：ＢをＡに加えて均一にし、金型にプレス成型してパウダーファンデーションを得た。  得られたパウダーファンデーションは、軽く延び、化粧もちが良く、２次付着もなかった。
【０１３５】
［実施例１４］パウダーファンデーション
組成                                                              （％）
１．カプリリルシラン処理マイカ（注１）                          ４０．０
２．シリコーン処理タルク（注２）                                ２０．０
３．シリコーン処理酸化チタン（注２）                              ８．０
４．シリコーン処理微粒子酸化チタン（注２）                        ５．０
５．シリコーン処理硫酸バリウム（注２）                            ８．９
６．シリコーン処理ファンデーション顔料（注２）                    ７．０
７．フェニル変性ハイブリッドシリコーン複合粉体（注３）            ２．０
８．ポリメチルシルセスキオキサン粉体（注４）                      ０．４
９．防腐剤                                                        ０．５
１０．香料                                                        ０．２
１１．実施例４のシリコーン樹脂溶液                                ３．０
１２．トリオクタン酸グリセリル                                    ３．０
１３．スクワラン                                                  １．０
１４．ワセリン                                                    １．０
合計                                                          １００．０
（注１）信越化学工業（株）製：ＡＥＳ−３０８３処理
（注２）信越化学工業（株）製：ＫＦ−９９０９処理
（注３）信越化学工業（株）製：ＫＳＰ−３００
（注４）信越化学工業（株）製：ＫＭＰ−５９０
【０１３６】
＜化粧料の調製＞
Ａ：成分１〜９を混合して均一に粉砕した。
Ｂ：成分１１〜１４を均一混合し、Ａに加えて均一にした。
Ｃ：Ｂに成分１０を添加し、金型にプレス成型してパウダーファンデーションを得た。
得られたパウダーファンデーションは、軽く延び、化粧もちに優れ、２次付着もなかった。
【０１３７】
［実施例１５］スティック状Ｗ／Ｏファンデーション
組成                                                              （％）
１．セレシン                                                      ５．５
２．ステアリン酸イヌリン                                          ２．０
３．ジオクタン酸ネオペンチルグリコール                            ７．０
４．トリエチルヘキサノイン                                        ４．０
５．ジメチルポリシロキサン（６ｃｓ）                              ６．３
６．実施例２のシリコーン樹脂溶液                                  ３．０
７．架橋型ポリグリセリン変性シリコーン（注１）                    ４．０
８．アルキル変性分岐型ポリグリセリン変性シリコーン（注２）        １．５
９．ポリメチルシルセスキオキサン粉体（注３）                      １．０
１０．シリコーン処理酸化チタン（注４）                            ９．０
１１．シリコーン処理ファンデーション顔料（注５）                  ５．０
１２．レシチン                                                    ０．２
１３．ポリソルベート８０                                          ０．３
１４．１，３−ＢＧ                                                ４．０
１５．防腐剤                                                      ０．５
１６．香料                                                        ０．２
１７．精製水                                                    ４６．５
合計                                                          １００．０
（注１）信越化学工業（株）製：ＫＳＧ−７１０
（注２）信越化学工業（株）製：ＫＦ−６１０５
（注３）信越化学工業（株）製：ＫＭＰ−５９０
（注４）信越化学工業（株）製：ＫＦ−９９０９処理
（注５）信越化学工業（株）製：ＫＦ−９９０９処理
【０１３８】
＜化粧料の調製＞
Ａ：成分１〜９を加熱溶解して均一にした。
Ｂ：成分１０〜１３及び１４の一部を混合し、ローラーで分散処理した。
Ｃ：成分１４の残部、１５及び１７を均一溶解し、これをＢに加えて、加熱下で均一分散させた。
Ｄ：加熱攪拌下、ＡにＣを加えて乳化し、これに成分１６を加えて、気密性の高い所定の容器に充填してスティック状Ｗ／Ｏファンデーションを得た。
得られたスティック状Ｗ／Ｏファンデーションは、軽く延び、化粧もちに優れ、２次付着もなかった。
【０１３９】
［実施例１６］固形状油中多価アルコール乳化ホホ紅
組成                                                              （％）
１．架橋型ポリグリセリン変性シリコーン（注１）                    ５．０
２．架橋型ジメチルポリシロキサン（注２）                          ５．０
３．デカメチルシクロペンタシロキサン                              ３．０
４．ジメチルポリシロキサン（６ｃｓ）                            １９．７
５．イソオクタン酸セチル                                          ５．０
６．実施例３のシリコーン樹脂溶液                                １０．０
７．ベヘニル変性アクリル／シリコーン樹脂（注３）                  ３．０
８．パラフィンワックス（融点８０℃）                              ９．０
９．ジメチルジステアリルアンモニウムヘクトライト                  ０．３
１０．アクリル／シリコーン処理粉体（注４）                      ２５．０
１１．防腐剤                                                      ０．５
１２．香料                                                        ０．２
１３．１，３−ブチレングリコール                                １４．３
合計                                                          １００．０
（注１）信越化学工業（株）製：ＫＳＧ−７１０
（注２）信越化学工業（株）製：ＫＳＧ−１５
（注３）信越化学工業（株）製：ＫＰ−５６２Ｐ
（注４）信越化学工業（株）製：ＫＰ−５７４処理
【０１４０】
＜化粧料の調製＞
Ａ：成分１〜９及び１２を８０℃に加熱し、均一に混合した。
Ｂ：成分１０をＡに添加し、均一に分散した。
Ｃ：成分１１，１３を混合して８０℃に加熱後、Ｂに加えて乳化し、金皿に流し込んで冷却して固形状ホホ紅を得た。
以上のようにして得られた固形状油中多価アルコール乳化ホホ紅は、のび広がりが軽くて、べたつきや油っぽさもなかった。
【０１４１】
［実施例１７］クリーム状口紅
組成                                                              （％）
１．パルミチン酸／エチルヘキサン酸デキストリン（注１）            ９．０
２．トリエチルヘキサノイン                                        ７．０
３．実施例２のシリコーン樹脂溶液                                  ８．０
４．アルキル変性架橋型ジメチルポリシロキサン（注２）              ８．０
５．アルキル変性分岐型ポリグリセリン変性シリコーン（注３）        ２．０
６．デカメチルシクロペンタシロキサン                            ３５．０
７．１，３−ブチレングリコール                                    ４．８
８．精製水                                                      １８．０
９．着色顔料                                                      ６．０
１０．マイカ                                                      ２．０
１１．香料                                                        ０．２
合計                                                          １００．０
（注１）千葉製粉（株）製：レオパールＴＴ
（注２）信越化学工業（株）製：ＫＳＧ−４３
（注３）信越化学工業（株）製：ＫＦ−６１０５
【０１４２】
＜化粧料の調製＞
Ａ：成分１、２の一部及び３〜６を加熱し、均一に混合した。
Ｂ：成分２の残部に、９を混合しローラーにて分散し、Ａに添加して均一に混合した。
Ｃ：成分７、８を混合し加温、Ｂに加えて乳化した。
Ｄ：成分１０、１１をＣに添加し、クリーム状口紅を得た。
以上のようにして得られたクリーム状口紅は、のびが軽くて唇に伸ばしやすく、べたつきや油っぽさもなく、化粧もちもよかった。
【０１４３】
［実施例１８］アイライナー
組成                                                              （％）
１．トリストリメチルシロキシメチルシラン（注１）                ２０．０
２．ポリエーテル変性シリコーン（注２）                            ３．０
３．実施例２のシリコーン樹脂溶液                                ３３．５
４．シリコーン網状樹脂溶解品（注３）                            １５．０
５．ジメチルジステアリルアンモニウムヘクトライト                  ３．０
６．シリコーン処理黒酸化鉄（注４）                              １０．０
７．１，３−ブチレングリコール                                    ４．５
８．硫酸ナトリウム                                                ０．５
９．防腐剤                                                        ０．５
１０．精製水                                                    １０．０
合計                                                          １００．０
（注１）信越化学工業（株）製：ＴＭＦ−１．５
（注２）信越化学工業（株）製：ＫＦ−６０１７
（注３）信越化学工業（株）製：ＫＦ−７３１２Ｔ
（注４）信越化学工業（株）製：ＫＦ−９９０１処理
【０１４４】
＜化粧料の調製＞
Ａ：成分１〜５を混合し、成分６を加えて均一に混合、分散した。
Ｂ：成分７〜１０を混合した。
Ｃ：ＢをＡに添加して乳化し、アイライナーを得た。
以上のようにして得られたアイライナーは、のびが軽くてアイラインに描きやすく、さっぱりとした使用感である上、化粧もちも非常に良いことが確認された。
【０１４５】
［実施例１９］マスカラ
組成                                                              （％）
１．実施例１のシリコーン樹脂溶液                                ２６．５
２．パルミチン酸／エチルヘキサン酸デキストリン（注１）            ３．０
３．セレシン                                                      ２．５
４．ベヘニル変性アクリル／シリコーン樹脂（注２）                  ２．０
５．ミツロウ                                                      ３．５
６．トリエチルヘキサノイン                                        ３．０
７．ジメチルジステアリルアンモニウムヘクトライト                  ４．０
８．レシチン                                                      ０．５
９．イソドデカン                                                ３４．０
１０．シリコーン処理顔料（注３）                                  ５．０
１１．シリカ                                                      ３．０
１２．タルク                                                    １２．０
１３．分岐型ポリエーテル変性シリコーン（注４）                    １．０
合計                                                          １００．０
（注１）千葉製粉（株）製：レオパールＴＴ
（注２）信越化学工業（株）製：ＫＰ−５６２Ｐ
（注３）信越化学工業（株）製：ＫＦ−９９０９処理
（注４）信越化学工業（株）製：ＫＦ−６０２８Ｐ
【０１４６】
＜化粧料の調製＞
Ａ：成分７、１３を成分９に添加し、加温、均一に混合した。
Ｂ：成分１〜６及び８をＡに添加し、均一に混合した。
Ｃ：成分１０、１１、及び１２をＢに添加した後、ローラーで均一にし、マスカラを得た。
以上のようにして得られたマスカラは、のびが軽くて睫に付着しやすく、べたつきがない使用感である上、持ち（持続性）も非常に良いことが確認された。
【０１４７】
［実施例２０］クリームアイシャドウ
組成                                                              （％）
１．デカメチルシクロペンタシロキサン                            １５．０
２．ジメチルポリシロキサン（６ｃｓ）                              ４．０
３．実施例３のシリコーン樹脂溶液                                  ５．０
４．分岐型ポリエーテル変性シリコーン（注１）                      １．５
５．アクリル／シリコーン樹脂処理顔料（注２）                    １６．０
６．塩化ナトリウム                                                ２．０
７．プロピレングリコール                                          ７．５
８．防腐剤                                                        ０．５
９．精製水                                                      ４８．５
合計                                                          １００．０
（注１）信越化学工業（株）製：ＫＦ−６０２８Ｐ
（注２）信越化学工業（株）製：ＫＰ−５７４処理
【０１４８】
＜化粧料の調製＞
Ａ：成分１〜４を混合し、成分５を加えて均一に混合、分散した。
Ｂ：成分６〜９を混合した。
Ｃ：ＢをＡに添加して乳化し、クリームアイシャドウを得た。
以上のようにして得られたクリームアイシャドウは、のび広がりが軽くて油っぽさや粉っぽさがなく、化粧もちもよかった。
【０１４９】
［実施例２１］クリームアイシャドウ
組成                                                              （％）
１．アクリル／シリコーン樹脂溶解品（注１）                        ３．０
２．ステアリル変性アクリル／シリコーン樹脂（注２）                ２．０
３．分岐型ポリエーテル変性シリコーン（注３）                      １．５
４．デカメチルシクロペンタシロキサン                            ２０．３
５．実施例４のシリコーン樹脂溶液                                １０．０
６．ジメチルジステアリルアンモニウムヘクトライト                  １．２
７．アクリル／シリコーン樹脂処理顔料（注４）                    ２０．０
８．球状ナイロン                                                  ３．０
９．タルク                                                        ４．０
１０．エタノール                                                  ５．０
１１．精製水                                                    ３０．０
合計                                                          １００．０
（注１）信越化学工業（株）製：ＫＰ−５４５
（注２）信越化学工業（株）製：ＫＰ−５６１Ｐ
（注３）信越化学工業（株）製：ＫＦ−６０２８Ｐ
（注４）信越化学工業（株）製：ＫＰ−５７４処理
【０１５０】
＜化粧料の調製＞
Ａ：成分１〜６を混合し、成分７〜９を加えて均一に混合、分散した。
Ｂ：成分１０〜１１を混合した。
Ｃ：ＢをＡに添加して乳化し、クリームアイシャドウを得た。
以上のようにして得られたクリームアイシャドウは、のび広がりが軽くて油っぽさや粉っぽさがなく、みずみずしく、持ち（持続性）も良かった。
【０１５１】
［実施例２２］サンカット乳液
組成                                                              （％）
１．架橋型ポリエーテル変性シリコーン（注１）                      ３．０
２．架橋型ジメチルポリシロキサン（注２）                          ２．０
３．分岐型ポリエーテル変性シリコーン（注３）                      １．０
４．実施例１のシリコーン樹脂溶液                                  ５．０
５．デカメチルシクロペンタシロキサン                              ５．０
６．イソノナン酸イソトリデシル                                    ４．０
７．酸化チタン分散物（注４）                                    ２５．０
８．酸化亜鉛分散物（注５）                                      ３５．０
９．１，３−ブチレングリコール                                    ２．０
１０．クエン酸ナトリウム                                          ０．２
１１．塩化ナトリウム                                              ０．５
１２．精製水                                                    １７．３
合計                                                          １００．０
（注１）信越化学工業（株）製：ＫＳＧ−２１０
（注２）信越化学工業（株）製：ＫＳＧ−１５
（注３）信越化学工業（株）製：ＫＦ−６０２８Ｐ
（注４）信越化学工業（株）製：ＳＰＤ−Ｔ５
（注５）信越化学工業（株）製：ＳＰＤ−Ｚ５
【０１５２】
＜化粧料の調製＞
Ａ：成分１〜６を均一に混合した。
Ｂ：成分９〜１２を混合した。
Ｃ：ＢをＡに添加して乳化し、成分７及び８を加えてサンカット乳液を得た。
以上のようにして得られたサンカット乳液は、のび広がりが軽く、べたつきや油っぽさがなく、耐汗性が良好であった。
【０１５３】
［実施例２３］サンカットクリーム
組成                                                              （％）
１．架橋型ポリエーテル変性シリコーン（注１）                      ３．０
２．架橋型ジメチルポリシロキサン（注２）                          ２．０
３．アルキル変性分岐型ポリエーテル変性シリコーン（注３）          １．０
４．実施例３のシリコーン樹脂溶液                                  ７．０
５．デカメチルシクロペンタシロキサン                            １５．５
６．パラメトキシケイ皮酸オクチル                                  ６．０
７．アクリル／シリコーン樹脂溶解品（注４）                      １０．０
８．親油化処理微粒子酸化亜鉛（注５）                            ２０．０
９．１，３−ブチレングリコール                                    １．８
１０．クエン酸ナトリウム                                          ０．２
１１．塩化ナトリウム                                              ０．５
１２．香料                                                        ０．２
１３．精製水                                                    ３２．８
合計                                                          １００．０
（注１）信越化学工業（株）製：ＫＳＧ−２４０
（注２）信越化学工業（株）製：ＫＳＧ−１５
（注３）信越化学工業（株）製：ＫＦ−６０３８
（注４）信越化学工業（株）製：ＫＰ−５７５
（注５）信越化学工業（株）製：ＡＥＳ−３０８３処理
【０１５４】
＜化粧料の調製＞
Ａ：成分５の一部に成分７を加えて均一にし、成分８を添加してビーズミルにて分散した。
Ｂ：成分１〜４及び成分５の残部、６を均一に混合した。
Ｃ：成分９〜１１、及び成分１３を混合して、均一にした。
Ｄ：ＣをＢに添加して乳化し、Ａ及び成分１２を加えてサンカットクリームを得た。
以上のようにして得られたサンカットクリームは、べたつきがなくのび広がりが軽く、油っぽさがなくてさっぱりとした使用感を与えると共に、持ち（持続性）も良好であった。
【０１５５】
［実施例２４］サンカットローション（シェイキングタイプ）
組成                                                              （％）
１．分岐型ポリエーテル変性シリコーン（注１）                      ２．０
２．実施例２のシリコーン樹脂溶液                                  ５．０
３．ジメチルポリシロキサン（６ｃｓ）                              ３．０
４．デカメチルシクロペンタシロキサン                              ７．８
５．パラメトキシケイ皮酸オクチル                                  ７．５
６．ハイブリッドシリコーン複合粉体（注２）                        ０．５
７．ジメチルジステアリルアンモニウムヘクトライト                  ０．２
８．酸化亜鉛分散物（注３）                                      ４５．０
９．１，３−ブチレングリコール                                    ３．０
１０．アルコール                                                  ５．０
１１．クエン酸ナトリウム                                          ０．２
１２．塩化ナトリウム                                              ０．５
１３．精製水                                                    ２０．３
合計                                                          １００．０
（注１）信越化学工業（株）製：ＫＦ−６０２８Ｐ
（注２）信越化学工業（株）製：ＫＳＰ−１０５
（注３）信越化学工業（株）製：ＳＰＤ−Ｚ６
【０１５６】
＜化粧料の調製＞
Ａ：成分１〜７を均一に混合した。
Ｂ：成分９〜１３を混合した。
Ｃ：ＢをＡに添加して乳化し、成分８を加えてシェイキングタイプのサンカットローションを得た。
以上のようにして得られたサンカットローションは、のび広がりが軽く、べたつきや油っぽさがなく、持ち（持続性）も非常に優れていた。
【０１５７】
［実施例２５］サンタン乳液
組成                                                              （％）
１．架橋型ポリエーテル変性シリコーン（注１）                      ２．０
２．架橋型ジメチルポリシロキサン（注２）                          ３．０
３．ポリエーテル変性シリコーン（注３）                            １．５
４．実施例１のシリコーン樹脂溶液                                  ２．０
５．ジメチルポリシロキサン（６ｃｓ）                            １０．０
６．デカメチルシクロペンタシロキサン                            １５．３
７．ジヒドロキシアセトン                                          ２．０
８．グリセリン                                                  １０．０
９．１，３−ブチレングリコール                                    ５．０
１０．クエン酸ナトリウム                                          ０．２
１１．塩化ナトリウム                                              ０．５
１２．酸化防止剤                                                  ０．５
１３．防腐剤                                                      ０．５
１４．香料                                                        ０．２
１５．精製水                                                    ４７．３
合計                                                          １００．０
（注１）信越化学工業（株）製：ＫＳＧ−２１０
（注２）信越化学工業（株）製：ＫＳＧ−１５
（注３）信越化学工業（株）製：ＫＦ−６０１７
【０１５８】
＜化粧料の調製＞
Ａ：成分１〜６を均一に混合した。
Ｂ：成分７〜１３、及び成分１５を混合した。
Ｃ：ＢをＡに添加して乳化し、成分１４を添加してサンタン乳液を得た。
以上のようにして得られたサンタン乳液は、べたつきがなく、のび広がりが軽く、油っぽさがなくてさっぱりとした使用感を与えた。
【０１５９】
［実施例２６］サンタンクリーム
組成                                                              （％）
１．アルキル変性架橋型ポリエーテル変性シリコーン（注１）          ４．０
２．アルキル変性架橋型ジメチルポリシロキサン（注２）              ２．０
３．アルキル変性分岐型ポリエーテル変性シリコーン（注３）          １．０
４．実施例３のシリコーン樹脂溶液                                  ５．０
５．デカメチルシクロペンタシロキサン                            １０．３
６．ステアリル変性アクリル／シリコーン（注４）                    １．０
７．ジメチルオクチルパラアミノ安息香酸                            １．５
８．４−ｔ−ブチル−４’−メトキシ−ジベンゾイルメタン            １．５
９．カオリン                                                      ０．５
１０．顔料                                                        ８．０
１１．酸化チタンコーテッドマイカ                                  ８．０
１２．ジオクタデシルジメチルアンモニウムクロライド                ０．１
１３．Ｌ−グルタミン酸ナトリウム                                  ３．０
１４．１，３−ブチレングリコール                                  ４．０
１５．クエン酸ナトリウム                                          ０．２
１６．塩化ナトリウム                                              ０．５
１７．酸化防止剤                                                  ０．５
１８．防腐剤                                                      ０．５
１９．香料                                                        ０．２
２０．精製水                                                    ４８．２
合計                                                          １００．０
（注１）信越化学工業（株）製：ＫＳＧ−３２０
（注２）信越化学工業（株）製：ＫＳＧ−４２
（注３）信越化学工業（株）製：ＫＦ−６０３８
（注４）信越化学工業（株）製：ＫＰ−５６１Ｐ
【０１６０】
＜化粧料の調製＞
Ａ：成分１〜８及び１７，１８を加熱混合した。
Ｂ：成分１２及び２０の一部を加熱攪拌後、成分９〜１１を添加し分散処理した。
Ｃ：成分１３〜１６及び２０の残部を均一溶解し、Ｂと混合した。
Ｄ：攪拌下、ＡにＣを徐々に添加して乳化し、冷却して成分１９を添加しサンタンクリームを得た。
以上のようにして得られたサンタンクリームは、キメが細かく、のび広がりが軽くてべたつきや油っぽさがなく、さっぱりとした使用感を与えると共に、持ち（持続性）も良かった。
【０１６１】
［実施例２７］液状Ｗ／Ｏファンデーション
組成                                                              （％）
１．デカメチルシクロペンタシロキサン                            １８．０
２．ジメチルポリシロキサン（６ｃｓ）                              ２．０
３．実施例１のシリコーン樹脂溶液                                  ７．０ 
４．アルキル変性分岐型ポリエーテル変性シリコーン（注１）          ２．０
５．パラメトキシケイ皮酸オクチル                                  ３．０
６．フッ素変性シリコーン（注２）                                  ２．０
７．ポリメチルシルセスキオキサン粉体（注３）                      １．５
８．フッ素化合物処理ファンデーション顔料（注４）                  ９．３
９．フッ素化合物処理雲母チタン（注４）                            ２．０
１０．シリコーン処理微粒子酸化チタン（注５）                      ８．０
１１．アルキル変性分岐型ポリグリセリン変性シリコーン（注６）      １．２
１２．エタノール                                                  ３．０
１３．１，３−ブチレングリコール                                  ４．３
１４．グリセリン                                                  １．５
１５．硫酸マグネシウム                                            ０．５
１６．酸化防止剤                                                  ０．５
１７．防腐剤                                                      ０．５
１８．香料                                                        ０．２
１９．精製水                                                    ３３．５
合計                                                          １００．０
（注１）信越化学工業（株）製：ＫＦ−６０３８
（注２）信越化学工業（株）製：ＦＬ−５
（注３）信越化学工業（株）製：ＫＭＰ−５９０
（注４）パーフルオロアルキルエチルリン酸ジエタノールアミン塩にて５％被覆したもの
（注５）信越化学工業（株）製：ＫＦ−９９０９処理
（注６）信越化学工業（株）製：ＫＦ−６１０５
【０１６２】
＜化粧料の調製＞
Ａ：成分１の一部、成分１１、１２及び２０の一部を混合し、均一に分散した。
Ｂ：成分８〜１０を均一に混合した。
Ｃ：成分１の残部、２〜７を混合し、Ｂを加えて均一に分散混合した。
Ｄ：成分１３〜１８及び２０の残部を混合し、均一にした。
Ｅ：攪拌下、ＣにＤを徐々に添加して乳化し、Ａ及び成分１９を添加しＷ／Ｏファンデーションを得た。
以上のようにして得られたＷ／Ｏファンデーションは、べたつきがなくサラッとしており、のび広がりが軽くて油っぽさがなく、化粧もちも良く、また、２次付着もなかった。
【０１６３】
［実施例２８］ヘアクリーム
組成                                                              （％）
１．デカメチルシクロペンタシロキサン                            １６．０
２．メチルフェニルポリシロキサン（注１）                          ２．０
３．実施例１のシリコーン樹脂溶液                                  ４．０
４．スクワラン                                                    ５．０
５．シリコーン網状樹脂溶解品（注２）                              ２．０
６．セスキイソステアリン酸ソルビタン                              １．５
７．アルキル変性分岐型ポリエーテル変性シリコーン（注３）          ２．０
８．ソルビトール硫酸ナトリウム                                    ２．０
９．コンドロイチン硫酸ナトリウム                                  １．０
１０．ヒアルロン酸ナトリウム                                      ０．５
１１．プロピレングリコール                                        ２．３
１２．防腐剤                                                      １．５
１３．ビタミンＥアセテート                                        ０．１
１４．酸化防止剤                                                  ０．５
１５．香料                                                        ０．２
１６．精製水                                                    ５９．４
合計                                                          １００．０
（注１）信越化学工業（株）製：ＫＦ−５４
（注２）信越化学工業（株）製：ＫＦ−７３１２Ｊ
（注３）信越化学工業（株）製：ＫＦ−６０３８
【０１６４】
＜化粧料の調製＞
Ａ：成分１〜７、成分１２〜１４を均一に混合した。
Ｂ：成分８〜１１、及び１６を均一に混合した。
Ｃ：攪拌下、ＡにＢを徐々に添加して乳化し、成分１５を添加し、ヘアクリームを得た。
以上のようにして得られたヘアクリームは、油っぽさがなく、のび広がりが軽く、耐水性、撥水性、耐汗性があり、持ち（持続性）も良かった。
【０１６５】
［実施例２９］ヘアクリーム
組成                                                              （％）
１．シリコーンガム溶解品（注１）                                １０．０
２．シリコーン網状樹脂溶解品（注２）                            １０．０
３．実施例３のシリコーン樹脂溶液                                １０．０
４．トリ−２−エチルヘキサン酸グリセリル                          ５．０
５．ワセリン                                                      ５．０
６．ステアリン酸                                                  １．５
７．セチルアルコール                                              ０．５
８．モノオレイン酸ポリグリセリル                                  １．５
９．モノステアリン酸グリセリル                                    １．５
１０．ポリエーテル変性シリコーン（注３）                          ０．５
１１．１，３−ブチレングリコール                                  ５．０
１２．（アクリレーツ／アクリル酸アルキル（Ｃ１０−３０））クロスポリマー（注４）
０．３
１３．トリエタノールアミン                                        ０．３
１４．防腐剤                                                      ０．５
１５．香料                                                        ０．２
１６．精製水                                                    ４８．２
合計                                                          １００．０
（注１）信越化学工業（株）製：ＫＦ−９０２８
（注２）信越化学工業（株）製：ＫＦ−７３１２Ｊ
（注３）信越化学工業（株）製：ＫＦ−６０１１
（注４）Ｌｕｂｒｉｚｏｌ  Ａｄｖａｎｃｅｄ  Ｍａｔｅｒｉａｌｓ社製：ペミュレンＴＲ−１
【０１６６】
＜化粧料の調製＞
Ａ：成分１〜１０、及び成分１４を加熱溶解した。
Ｂ：成分１１〜１３、及び１６を混合し、加熱した。
Ｃ：攪拌下、ＢにＡを徐々に添加して乳化し、冷却後、成分１５を添加してヘアクリームを得た。
以上のようにして得られたヘアクリームは、のび広がりが軽く、毛髪に光沢と滑らかさを与え、毛髪に対した優れたセット効果を有したと共に、耐水性、耐汗性があり、持ち（持続性）も良かった。
【０１６７】
［実施例３０］保湿Ｏ／Ｗクリーム
組成                                                              （％）
１．実施例１のシリコーン樹脂溶液                                   ４．０
２．流動パラフィン                                                 ４．５
３．マカデミアナッツ油                                             ５．０
４．ジメチルポリシロキサン（粘度６ｍｍ2／ｓ：２５℃）              ５．０
５．パラメトキシケイ皮酸オクチル                                   ５．０
６．アルキル変性分岐型ポリグリセリン変性シリコーン（注１）         １．５
７．プロピレングリコール                                           ８．０
８．グリセリン                                                     ３．０
９．防腐剤                                                         ０．５
１０．香料                                                         ０．２
１１．精製水                                                     ６３．３
合計                                                           １００．０
注１）信越化学工業（株）製：ＫＦ−６１０５
【０１６８】
＜化粧料の調製＞
Ａ：成分１〜６を均一に混合した。
Ｂ：成分７〜１１を混合した後、Ａに加えて乳化した。
以上のようにして得られた保湿Ｏ／Ｗクリームは、のび広がりが軽く、さっぱりとした使用感を与え、保湿効果が持続した。
【０１６９】
［実施例３１］Ｏ／Ｗエモリエントクリーム
組成                                                              （％）
１．架橋型ジメチルポリシロキサン（注１）                          ７．０
２．架橋型ジメチルポリシロキサン（注２）                        ３０．０
３．実施例２のシリコーン樹脂溶液                                  ６．０
４．デカメチルシクロペンタシロキサン                              ５．０
５．１，３−ブチレングリコール                                    ４．０
６．分岐型ポリグリセリン変性シリコーン（注３）                    ０．６
７．分岐型ポリグリセリン変性シリコーン（注４）                    ０．３
８．（アクリルアミド／アクリロイルジメチルタウリンＮａ）コポリマー（注５）
０．６
９．アクリル酸ジメチルタウリンアンモニウム／ＶＰコポリマー（注６）
０．７
１０．塩化ナトリウム                                              ０．１
１１．精製水                                                    ４５．７
合計                                                          １００．０
（注１）信越化学工業（株）製：ＫＳＧ−１５
（注２）信越化学工業（株）製：ＫＳＧ−１６
（注３）信越化学工業（株）製：ＫＦ−６１０４
（注４）信越化学工業（株）製：ＫＦ−６１００
（注５）セピック社製：シムルゲル６００
（注６）クラリアント社製：アリストフレックスＡＶＣ
【０１７０】
＜化粧料の調製＞
Ａ：成分１〜４を均一に混合した。
Ｂ：成分５〜１１を均一に混合した。
Ｃ：攪拌下、ＢにＡを徐々に添加して混合し、Ｏ／Ｗエモリエントクリームを得た。
以上のようにして得られたＯ／Ｗエモリエントクリームは、油っぽさがなくサラサラッとしており、のび広がりが軽く、肌を守る効果が持続した。
【０１７１】
［実施例３２］ハンドクリーム
組成                                                              （％）
１．デカメチルシクロペンタシロキサン                            ２５．０
２．実施例４のシリコーン樹脂溶液                                １０．０
３．流動パラフィン                                                ５．０
４．アミノ変性シリコーンガム溶解品（注１）                        ８．０
５．分岐型ポリエーテル変性シリコーン（注２）                      ２．０
６．ハイブリッドシリコーン複合粉体（注３）                        ２．５
７．ジステアリルジメチルアンモニウムクロライド                    ０．８
８．ビタミンＥアセテート                                          ０．１
９．ポリエチレングリコール４００                                  １．０
１０．グリセリン                                                １０．０
１１．ケイ酸アルミニウムマグネシウム                              １．２
１２．防腐剤                                                      ０．５
１３．香料                                                        ０．２
１４．精製水                                                    ３３．７
合計                                                          １００．０
（注１）信越化学工業（株）製：ＫＦ−８１０８
（注２）信越化学工業（株）製：ＫＦ−６０２８Ｐ
（注３）信越化学工業（株）製：ＫＳＰ−１０２
【０１７２】
＜化粧料の調製＞
Ａ：成分１〜８、成分１２を均一に混合した。
Ｂ：成分９〜１１、及び１４を均一に混合した。
Ｃ：攪拌下、ＡにＢを徐々に添加して乳化し、成分１３を添加し、ハンドクリームを得た。
以上のようにして得られたハンドクリームは、油っぽさがなくサラサラッとしており、のび広がりが軽く、肌を守る効果が持続した。
【０１７３】
［実施例３３］Ｏ／Ｗクリーム
組成                                                              （％）
１．ジメチルポリシロキサン（６ｃｓ）                              ７．０
２．ステアリル変性アクリル／シリコーン樹脂（注１）                ８．０
３．実施例３のシリコーン樹脂溶液                                  ５．０
４．トリイソステアリン酸グリセリル                              １０．０
５．セタノール                                                    １．０
６．ステアリン酸                                                  ３．０
７．モノステアリン酸グリセリル                                    １．５
８．セスキオレイン酸ソルビタン                                    ０．５
９．モノオレイン酸ポリオキシエチレンソルビタン                    １．０
１０．水酸化ナトリウム（１質量％水溶液）                        １０．０
１１．１，３−ブチレングリコール                                  ５．０
１２．防腐剤                                                      ０．５
１３．香料                                                        ０．２
１４．精製水                                                    ５４．８
合計                                                          １００．０
（注１）信越化学工業（株）製：ＫＰ−５６１Ｐ
【０１７４】
＜化粧料の調製＞
Ａ：成分１〜９を加熱混合した。
Ｂ：成分１０〜１２、及び１４を混合、加熱した。
Ｃ：攪拌下、ＡにＢを徐々に添加して乳化し、冷却後、成分１３を添加し、Ｏ／Ｗクリームを得た。
以上のようにして得られたＯ／Ｗクリームは、べたつきや油っぽさがなくサラッとしており、のび広がりが軽く、さっぱりとした使用感を有していることが確認された。
【０１７５】
［実施例３４］Ｏ／Ｗクリーム
組成                                                              （％）
１．モノオレイン酸ポリグリセリル                                  １．０
２．セチルアルコール                                              ０．５
３．ステアリン酸                                                  １．０
４．モノステアリン酸グリセリル                                    １．０
５．実施例１のシリコーン樹脂溶液                                  ２．０
６．マカデミアンナッツ油                                          ９．０
７．架橋型ジメチルポリシロキサン（注１）                          ０．５
８．（アクリレーツ／アクリル酸アルキル（Ｃ１０−３０））クロスポリマー（注２）
０．２
９．メチルセルロース                                              ０．１
１０．トリエタノールアミン                                        ０．２
１１．１，３−ブチレングリコール                                  ７．０
１２．防腐剤                                                      ０．５
１３．香料                                                        ０．２
１４．精製水                                                    ７６．８
合計                                                          １００．０
（注１）信越化学工業（株）製：ＫＳＧ−１６
（注２）Ｌｕｂｒｉｚｏｌ  Ａｄｖａｎｃｅｄ  Ｍａｔｅｒｉａｌｓ社製：ペミュレンＴＲ−１
【０１７６】
＜化粧料の調製＞
Ａ：成分１〜７を加熱し、均一に混合した。
Ｂ：成分８〜１２、及び１４を混合、加熱した。
Ｃ：攪拌下、ＡにＢを徐々に添加して乳化して冷却後、成分１３を添加し、Ｏ／Ｗクリームを得た。
以上のようにして得られたＯ／Ｗクリームは、べたつきや油っぽさがなくサラッとしており、のび広がりが軽く、肌のみずみずしさを持続することが確認された。
【０１７７】
［実施例３５］制汗剤
組成                                                              （％）
１．架橋型ポリエーテル変性シリコーン（注１）                      ７．０
２．実施例２のシリコーン樹脂溶液                                  ８．０
３．デカメチルシクロペンタシロキサン                              ９．０
４．１，３−ブチレングリコール                                    ５．０
５．クエン酸ナトリウム                                            ０．２
６．アルミニウムジルコニウム四塩化水和物のグリシン塩            ２０．０
７．精製水                                                      ５０．８
合計                                                          １００．０
（注１）信越化学工業（株）製：ＫＳＧ−２１０
【０１７８】
＜化粧料の調製＞
Ａ：成分１〜３を均一に混合した。
Ｂ：成分４〜７を均一に混合した。
Ｃ：攪拌下、ＡにＢを徐々に添加して乳化し、制汗剤を得た。
以上のようにして得られた制汗剤は、のび広がりが軽く、皮膚を白くせず、制汗効果の持ちが良いことが確認された。
【０１７９】
［実施例３６］リンクルコンシーラー
組成                                                              （％）
１．架橋型ポリエーテル変性シリコーン（注１）                      ５．０
２．架橋型ジメチルポリシロキサン（注２）                        ５５．０
３．実施例１のシリコーン樹脂溶液                                １５．０
４．デカメチルシクロペンタシロキサン                              ８．０
５．ハイブリッドシリコーン複合粉体（注３）                      １２．０
６．シリコーンガム溶解品（注４）                                  ５．０
合計                                                          １００．０
（注１）信越化学工業（株）製：ＫＳＧ−２１０
（注２）信越化学工業（株）製：ＫＳＧ−１５
（注３）信越化学工業（株）製：ＫＳＰ−１０１
（注４）信越化学工業（株）製：ＫＦ−９０２８
【０１８０】
＜化粧料の調製＞
Ａ：成分１〜６を均一に混合し、リンクルコンシーラーを得た。
以上のようにして得られたリンクルコンシーラーは、べたつきや油っぽさがなくサラッとしており、のび広がりが軽く、シーリング効果を持続できることが確認された。
【０１８１】
［実施例３７］クレンジングクリーム
組成                                                              （％）
１．ジメチルポリシロキサン（６ｃｓ）                              ５．０
２．メチルフェニルポリシロキサン（注１）                          ５．０
３．流動パラフィン                                                ５．０
４．ホホバ油                                                      ２．０
５．実施例４のシリコーン樹脂溶液                                  ４．０
６．分岐型ポリエーテル変性シリコーン（注２）                      ２．０
７．デキストリン脂肪酸エステル                                    ０．８
８．モノステアリン酸アルミニウム塩                                ０．２
９．塩化アルミニウム                                              １．０
１０．グリセリン                                                １０．０
１１．防腐剤                                                      ０．５
１２．香料                                                        ０．２
１３．精製水                                                    ６４．３
合計                                                          １００．０
（注１）信越化学工業（株）製：ＫＦ−５６
（注２）信越化学工業（株）製：ＫＦ−６０２８
【０１８２】
＜化粧料の調製＞
Ａ：成分１〜８を加熱混合した。
Ｂ：成分９〜１１及び１３を加熱混合した。
Ｃ：攪拌下、ＡにＢを徐々に添加して乳化し、冷却後、成分１２を添加し、クレンジングクリームを得た。
以上のようにして得られたクレンジングクリームは、のび広がりが軽く、しっとりとしてみずみずしく、さっぱりとした使用感を与えることが確認された。
【０１８３】
［実施例３８］透明クレンジングローション
組成                                                              （％）
１．デカメチルシクロペンタシロキサン                            ５０．８
２．実施例１のシリコーン樹脂溶液                                  ５．０
３．ジオクタン酸ネオペンチルグリコール                            ６．０
４．シリカ                                                        ０．２
５．１，３−ブチレングリコール                                    ５．０
６．グリセリン                                                    ６．０
７．ポリエーテル変性シリコーン（注１）                            ５．０
８．ポリエーテル変性シリコーン（注２）                            ３．０
９．ＰＥＧ−６０水添ヒマシ油                                      ２．０
１０．精製水                                                    １７．０
合計                                                          １００．０
（注１）信越化学工業（株）製：ＫＦ−６０１１
（注２）信越化学工業（株）製：ＫＦ−６０１３
【０１８４】
＜化粧料の調製＞
Ａ：成分１〜４を均一に混合した。
Ｂ：成分５〜１０を均一に混合した。
Ｃ：攪拌下、ＢにＡを徐々に添加して乳化し、透明クレンジングローションを得た。
以上のようにして得られた透明クレンジングローションは、のび広がりが軽く、しっとりとしてみずみずしい使用感を与え、クレンジング効果も高いことが確認された。
【０１８５】
［実施例３９］Ｗ／Ｏホホ紅
組成                                                              （％）
１．アクリル／シリコーン樹脂溶解品（注１）                      １０．０
２．ステアリル変性アクリル／シリコーン樹脂（注２）                ２．０
３．分岐型ポリエーテル変性シリコーン（注３）                      １．５
４．デカメチルシクロペンタシロキサン                            １５．０
５．トリイソステアリン酸グリセリル                                ３．０
６．実施例２のシリコーン樹脂溶液                                  ５．０
７．ジメチルジステアリルアンモニウムヘクトライト                  １．５
８．球状ナイロン                                                  ３．０
９．タルク                                                        ４．０
１０．ホホ紅顔料（アクリル／シリコーン処理）（注４）            ２０．０
１１．アルコール                                                  ５．０
１２．香料                                                        ０．２
１３．精製水                                                    ２９．８
合計                                                          １００．０
（注１）信越化学工業（株）製：ＫＰ−５４５
（注２）信越化学工業（株）製：ＫＰ−５６１Ｐ
（注３）信越化学工業（株）製：ＫＦ−６０２８Ｐ
（注４）信越化学工業（株）製：ＫＰ−５７４処理
【０１８６】
＜化粧料の調製＞
Ａ：成分１〜７を加温混合した。
Ｂ：成分８〜１０、及び成分１２を均一に混ぜ、Ａと混合した。
Ｃ：成分１１、１３を混合した。
Ｄ：攪拌下、ＢにＣを徐々に添加して乳化し、Ｗ／Ｏホホ紅を得た。
以上のようにして得られたＷ／Ｏホホ紅は、べたつきや油っぽさがなく、のび広がりが軽く、密着性に優れ、化粧もちも良かった。
【０１８７】
［実施例４０］Ｗ／Ｏリキッドファンデーション
組成                                                              （％）
１．架橋型ポリエーテル変性シリコーン（注１）                      ３．０
２．架橋型ジメチルポリシロキサン（注２）                          ５．０
３．分岐型ポリエーテル変性シリコーン（注３）                      ２．０
４．デカメチルシクロペンタシロキサン                            ２０．０
５．イソオクタン酸セチル                                          ５．０
６．実施例２のシリコーン樹脂溶液                                １０．０
７．ジメチルジステアリルアンモニウムヘクトライト                  １．２
８．ファンデーション顔料（シリコーン処理）（注４）              １４．０
９．アクリル／シリコーン樹脂溶解品（注５）                      １０．０
１０．１，３−ブチレングリコ−ル                                  ５．０
１１．キサンタンガム                                              ０．１
１２．クエン酸ナトリウム                                          ０．２
１３．塩化ナトリウム                                              ０．５
１４．防腐剤                                                      ０．５
１５．香料                                                        ０．２
１６．精製水                                                    ２３．３
合計                                                          １００．０
（注１）信越化学工業（株）製：ＫＳＧ−２１０
（注２）信越化学工業（株）製：ＫＳＧ−１５
（注３）信越化学工業（株）製：ＫＦ−６０２８Ｐ
（注４）信越化学工業（株）製：ＫＦ−９９０９処理
（注５）信越化学工業（株）製：ＫＰ−５７５
【０１８８】
＜化粧料の調製＞
Ａ：成分４の一部と成分９を混合し、成分８を均一に分散した。
Ｂ：成分１〜３、４の残部、及び成分５〜７を均一に混合した。
Ｃ：成分１０〜１４、及び成分１６を均一に混合した。
Ｄ：攪拌下、ＢにＣを徐々に添加して乳化し、Ａ及び成分１５を添加してＷ／Ｏリキッドファンデーションを得た。
以上のようにして得られたＷ／Ｏリキッドファンデーションは、べたつきや油っぽさがなく、のび広がりが軽く、化粧もちもよく、２次付着も無かった。
【０１８９】
［実施例４１］Ｗ／Ｏ型クリーム
組成                                                              （％）
１．架橋型アルキル・ポリエーテル変性シリコーン（注１）            ３．０
２．架橋型アルキル変性ジメチルポリシロキサン（注２）              ４．０
３．アルキル変性分岐型ポリエーテル変性シリコーン（注３）          １．０
４．メドウホーム油                                                ３．５
５．ホホバ油                                                      ２．５
６．マカデミアンナッツ油                                          ５．０
７．実施例３のシリコーン樹脂溶液                                  ７．５
８．ハイブリッドシリコーン複合粉体（注４）                        ３．０
９．１，３−ブチレングリコ−ル                                    ８．０
１０．グリシン                                                    ３．０
１１．クエン酸ナトリウム                                          ０．２
１２．塩化ナトリウム                                              ０．５
１３．防腐剤                                                      ０．５
１４．香料                                                        ０．２
１５．精製水                                                    ５８．１
合計                                                          １００．０
（注１）信越化学工業（株）製：ＫＳＧ−３４０
（注２）信越化学工業（株）製：ＫＳＧ−４４
（注３）信越化学工業（株）製：ＫＦ−６０３８
（注４）信越化学工業（株）製：ＫＳＰ−１００
【０１９０】
＜化粧料の調製＞
Ａ：成分１〜８を均一に混合した。
Ｂ：成分９〜１３、及び成分１５を均一に混合した。
Ｃ：攪拌下、ＡにＢを徐々に添加して乳化し、成分１４を添加してＷ／Ｏクリームを得た。
以上のようにして得られたＷ／Ｏクリームは、べたつきや油っぽさがなく、肌のしっとり感を持続することが確認された。
【０１９１】
［実施例４２］キューティクルコート
組成                                                              （％）
１．ポリエーテル変性シリコーン（注１）                            ３．０
２．ポリエーテル変性シリコーン（注２）                            ２．０
３．ＰＥＧ−４０水添硬化ヒマシ油                                  １．０
４．実施例４のシリコーン樹脂溶液                                  ３．０
５．シリコーンガム溶解品（注３）                                ４０．０
６．デカメチルシクロペンタシロキサン                            ４０．０
７．アルコール                                                    ４．３
８．防腐剤                                                        ０．５
９．香料                                                          ０．２
１０．精製水                                                      ６．０
合計                                                          １００．０
（注１）信越化学工業（株）製：ＫＦ−６０１１
（注２）信越化学工業（株）製：ＫＦ−６０１３
（注３）信越化学工業（株）製：ＫＦ−９０２８
【０１９２】
＜化粧料の調製＞
Ａ：成分１〜３及び７〜１０を均一に混合しした。
Ｂ：成分４〜６を均一に混合しした。
Ｃ：攪拌下、ＡにＢを加え乳化し、キューティクルコートを得た。
以上のようにして得られたキューティクルコートは、のび広がりが軽く、毛髪のぱさつきを抑え、光沢と滑らかさを与えることが確認された。
【０１９３】
［実施例４３］ヘアトリートメント
組成                                                              （％）
１．シリコーンガム溶解品（注１）                                  ５．０
２．ジフェニルジメチコン（注２）                                  ４．０
３．実施例４のシリコーン樹脂溶液                                  １．０
４．オクタン酸セチル                                              １．０
５．セチルアルコール                                              ０．５
６．ポリエーテル変性シリコーン（注３）                            １．０
７．ＰＥＧ−６０水添硬化ヒマシ油                                  １．０
８．モノステアリン酸グリセリル                                    ０．５
９．カルボキシビニルポリマー（１質量％水溶液）                  ２５．０
１０．キサンタンガム（１質量％水溶液）                            ７．０
１１．１，３−ブチレングリコール                                  ５．０
１２．アルコール                                                  ７．０
１３．防腐剤                                                      ０．５
１４．香料                                                        ０．２
１５．精製水                                                    ４１．３
合計                                                          １００．０
（注１）信越化学工業（株）製：ＭＫ−１５Ｈ
（注２）信越化学工業（株）製：ＫＦ−５４
（注３）信越化学工業（株）製：ＫＦ−６０１３
【０１９４】
＜化粧料の調製＞
Ａ：成分１〜８を加熱溶解した。
Ｂ：成分１１〜１５を加熱溶解した。
Ｃ：攪拌下、ＡにＢを添加して乳化し、さらに成分８及び９を加えてヘアトリートメントを得た。
以上のようにして得られたヘアトリートメントは、のび広がりが軽く、毛髪に光沢と滑らかさを与えることが確認された。
【０１９５】
［実施例４４］ネイルエナメル
組成                                                              （％）
１．実施例２のシリコーン樹脂溶液                                ３５．０
２．トリストリメチルシロキシメチルシラン（注１）                  ５．０
３．ニトロセルロース                                              ３．０
４．カンファ                                                      ０．５
５．クエン酸アセチルトリブチル                                    １．０
６．ジメチルジステアリルアンモニウムヘクトライト                  ０．５
７．酢酸ブチル                                                  ３０．０
８．酢酸エチル                                                  １３．０
９．イソプロピルアルコール                                        ５．０
１０．着色顔料                                                    ７．０
合計                                                          １００．０
（注１）信越化学工業（株）製：ＴＭＦ−１．５
【０１９６】
＜化粧料の調製＞
Ａ：成分７〜９を混合し、成分４〜６を添加して均一に混合した。
Ｂ：Ａに成分１〜３を添加して混合した。
Ｃ：Ｂに成分１０を添加混合して、ネイルエナメルを得た。
以上のようにして得られたネイルエナメルは、のび広がりが軽く、爪に光沢を与え、持ちも優れていることが確認された。
【０１９７】
［実施例４５］ネイルエナメルオーバーコート
組成                                                              （％）
１．実施例４のシリコーン樹脂溶液                                  ６．０
２．ニトロセルロース                                            １７．０
３．アルキッド樹脂                                                ４．０
４．クエン酸アセチルトリエチル                                    ５．０
５．酢酸ブチル                                                  ２９．０
６．酢酸エチル                                                  ２５．０
７．イソプロピルアルコール                                        ３．０
８．ｎ−ブチルアルコール                                          １．０
９．トルエン                                                    １０．０
合計                                                          １００．０
【０１９８】
＜化粧料の調製＞
Ａ：成分５〜９を混合し、成分４を添加して均一に混合した。
Ｂ：Ａに成分１〜３を添加して混合して、ネイルエナメルオーバーコートを得た。
以上のようにして得られたエナメルオーバーコートは、のび広がりが軽く、エナメルの光沢を増し、持ちもよいことが確認された。
【国際調査報告】
2021526180.tif 000017
2021526180.tif 000018